(57)【要約】本発明の実施形態は、マルチキャリアのキャリア選択方法及び装置を開示し、通信分野に関し、複雑性が比較的低い方法を用いた検索によって最適なキャリアの組合わせを得ることを実現する。本発明の実施形態で提供される方法は、受信端に割り当てられるＮ個のキャリア各キャリアの、無線ブロックの各フレームにおける絶対無線周波数チャネル番号ＡＲＦＣＮを取得するステップであって、Ｎは正の整数であり且つＮ≧２である、ステップと、Ｎ個のキャリアから、異なるキャリアをアンカーキャリアとしてそれぞれ選択し、無線ブロックの各フレームにおける各キャリアのＡＲＦＣと、受信端がサポート可能な最大キャリア周波数間隔とに従って、アンカーキャリアの検索範囲内で検索を行って、アンカーキャリアのキャリアセットを決定するステップと、Ｎ個のキャリアのアンカーキャリアのキャリアセットから、少なくとも１つのキャリアセットをキャリア選択結果として選択するステップと、を含む。
2016532376.tif 000002
【特許請求の範囲】
【請求項１】
マルチキャリアのキャリア選択方法であって、
受信端に割り当てられるＮ個のキャリア各キャリアの、無線ブロックの各フレームにおける絶対無線周波数チャネル番号ＡＲＦＣＮを取得するステップであって、Ｎは正の整数であり且つＮ≧２である、ステップと、
前記Ｎ個のキャリアから、異なるキャリアをアンカーキャリアとしてそれぞれ選択し、前記無線ブロックの各フレームにおける前記Ｎ個のキャリアの各キャリアの前記ＡＲＦＣと、前記受信端がサポート可能な最大キャリア周波数間隔とに従って、前記アンカーキャリアの検索範囲内で検索を行って、前記アンカーキャリアのキャリアセットを決定するステップと、
前記Ｎ個のキャリアのアンカーキャリアの前記キャリアセットから、少なくとも１つのキャリアセットをキャリア選択結果として選択するステップと、
を有する方法。
【請求項２】
前記Ｎ個のキャリアから異なるキャリアをアンカーキャリアとしてそれぞれ選択する前記ステップは、
前記Ｎ個のキャリアの各キャリアを前記アンカーキャリアとしてそれぞれ用いるステップ、
を含む、請求項１に記載の方法。
【請求項３】
前記Ｎ個のキャリアから異なるキャリアをアンカーキャリアとしてそれぞれ選択する前記ステップは、
所定の第１の方向に従って、前記Ｎ個のキャリアの各キャリアを前記アンカーキャリアとして順に用いるステップ、又は、
所定の第１の方向に従って、前記Ｎ個のキャリアから、前記所定の第１の方向における第１のキャリアを第１のアンカーキャリアとして選択し、前記第１のアンカーキャリアの検索範囲内での検索が終了し、且つ前記第１のアンカーキャリアのキャリアセットが決定された後、前記Ｎ個のキャリアのうち前記所定の第１の方向において、前記第１のアンカーキャリアの前記キャリアセットの中で前記所定の第１の方向で最前方のキャリアに隣接する次のキャリアを決定し、前記次のキャリアが前記所定の第１の方向において前記第１のアンカーキャリアの前に位置する場合、前記次のキャリアを第２のアンカーキャリアとして用いるステップ、
を含む、請求項１に記載の方法。
【請求項４】
前記所定の第１の方向は、
前記Ｎ個のキャリアのキャリアＩＤの昇順方向、又は、
前記Ｎ個のキャリアのキャリアＩＤの降順方向、又は、
前記無線ブロックの任意のフレームにおける前記Ｎ個のキャリアのＡＲＦＣＮの昇順方向、又は、
前記無線ブロックの任意のフレームにおける前記Ｎ個のキャリアのＡＲＦＣＮの降順方向
を含む、請求項３に記載の方法。
【請求項５】
前記アンカーキャリアの前記検索範囲は、前記Ｎ個のキャリアのうち前記所定の第１の方向において前記アンカーキャリアに隣接する次のキャリアから、前記Ｎ個のキャリアのうち前記所定の第１の方向の最後のキャリアまでである、
請求項３又は４に記載の方法。
【請求項６】
前記アンカーキャリアの前記検索範囲は、前記Ｎ個のキャリアのうち前記アンカーキャリアを除く全てのキャリアを含む、
請求項１乃至４のいずれか一項に記載の方法。
【請求項７】
前記無線ブロックの各フレームにおける前記Ｎ個のキャリアの各キャリアの前記ＡＲＦＣと、前記受信端がサポート可能な最大キャリア周波数間隔とに従って、前記アンカーキャリアの検索範囲内で検索を行って、前記アンカーキャリアのキャリアセットを決定する前記ステップは、
所定の検索方向に従って、前記アンカーキャリアの前記検索範囲内の未検索のキャリアから第１のキャリアを選択し、前記第１のキャリアと前記アンカーキャリアの第１のセット内の全てのキャリアの前記無線ブロックの各フレームにおけるＡＲＦＣＮのうち最大のＡＲＦＣＮと最小のＡＲＦＣＮとの差を計算するステップと、
前記第１のキャリアと前記第１のセット内の前記全てのキャリアの前記無線ブロックの任意のフレームにおけるＡＲＦＣＮのうち前記最大のＡＲＦＣＮと前記最小のＡＲＦＣＮとの前記差が、前記受信端によってサポートされる前記最大キャリア周波数間隔よりも大きい場合、前記アンカーキャリアの前記検索範囲内での前記検索を終了し、前記第１のセットを前記アンカーキャリアの前記キャリアセットとして用いるステップ、又は、
前記第１のキャリアと前記第１のセット内の前記全てのキャリアの前記無線ブロックの各フレームにおけるＡＲＦＣＮのうち前記最大のＡＲＦＣＮと前記最小のＡＲＦＣＮとの前記差が、前記受信端によってサポートされる前記最大キャリア周波数間隔よりも大きくない場合、前記第１のキャリアを前記第１のセットに追加するステップ、
を含み、
前記第１のセットは少なくとも前記アンカーキャリアを含み、前記第１のセット内の前記全てのキャリアの前記無線ブロックの各フレームにおけるＡＲＦＣＮのうち最大のＡＲＦＣＮと最小のＡＲＦＣＮとの差は、前記受信端によってサポートされる前記最大キャリア周波数間隔よりも大きくない、
請求項１乃至６のいずれか一項に記載の方法。
【請求項８】
前記所定の検索方向は、
前記アンカーキャリアの前記検索範囲内の全てのキャリアのキャリアＩＤの昇順方向、又は、
前記アンカーキャリアの前記検索範囲内の全てのキャリアのキャリアＩＤの降順方向、又は、
前記アンカーキャリアの前記検索範囲内の全てのキャリアの前記無線ブロックの任意のフレームにおけるＡＲＦＣＮの昇順方向、又は、
前記アンカーキャリアの前記検索範囲内の全てのキャリアの前記無線ブロックの任意のフレームにおけるＡＲＦＣＮの降順方向、又は、
前記アンカーキャリアが前記Ｎ個のキャリアのうちｉ番目のキャリアであり、且つ、前記アンカーキャリアの前記検索範囲が前記ｉ番目のキャリアを除く前記Ｎ個のキャリアの全てのキャリアを含む場合、前記アンカーキャリアの前記検索範囲内で、最初に前記Ｎ個のキャリアの（ｉ＋１）番目のキャリアから前記Ｎ個のキャリアのＮ番目のキャリアに向かい、それから前記Ｎ個のキャリアの１番目のキャリアから前記Ｎ個のキャリアの（ｉ‐１）番目のキャリアに向かう方向であって、ｉは正の整数であり且つ１＜ｉ＜Ｎである、方向、
を含む、請求項７に記載の方法。
【請求項９】
前記無線ブロックの各フレームにおける前記Ｎ個のキャリアの各キャリアの前記ＡＲＦＣと、前記受信端がサポート可能な最大キャリア周波数間隔とに従って、前記アンカーキャリアの検索範囲内で検索を行って、前記アンカーキャリアのキャリアセットを決定する前記ステップは、
前記アンカーキャリアの前記検索範囲内の未検索のキャリアから第１のキャリアを選択し、前記第１のキャリアと前記アンカーキャリアの第１のセット内の全てのキャリアの前記無線ブロックの各フレームにおけるＡＲＦＣＮのうち最大のＡＲＦＣＮと最小のＡＲＦＣＮとの差を計算するステップと、
前記第１のキャリアと前記第１のセット内の前記全てのキャリアの前記無線ブロックの各フレームにおけるＡＲＦＣＮのうち前記最大のＡＲＦＣＮと前記最小のＡＲＦＣＮとの前記差が、前記受信端によってサポートされる前記最大キャリア周波数間隔よりも大きくない場合、選択された前記第１のキャリアを前記第１のセットに追加するステップと、
前記アンカーキャリアの前記検索範囲内に未検索のキャリアが存在するか否かを判定し、前記アンカーキャリアの前記検索範囲内に未検索のキャリアが存在すると判定された場合、前記アンカーキャリアの前記検索範囲内の前記未検索のキャリアから第２のキャリアを選択するか、又は、前記アンカーキャリアの前記検索範囲内に未検索のキャリアが存在しないと判定された場合、前記アンカーキャリアの前記検索範囲内での前記検索を終了し、前記第１のセットを前記アンカーキャリアの前記キャリアセットとして用いるステップと、
を含み、
前記第１のセットは少なくとも前記アンカーキャリアを含み、前記第１のセット内の前記全てのキャリアの前記無線ブロックの各フレームにおけるＡＲＦＣＮのうち最大のＡＲＦＣＮと最小のＡＲＦＣＮとの差は、前記受信端によってサポートされる前記最大キャリア周波数間隔よりも大きくない、
請求項１乃至６のいずれか一項に記載の方法。
【請求項１０】
前記Ｎ個のキャリアのアンカーキャリアの前記キャリアセットから、少なくとも１つのキャリアセットをキャリア選択結果として選択する前記ステップは、
前記受信端に単一チャネルが構成される場合、前記検索ユニットによって決定された前記Ｎ個のキャリアの前記アンカーキャリアの前記キャリアセットから、最大数のキャリアを含み該含まれるキャリアのキャリアＩＤの和が最小であるキャリアセットを前記単一チャネルのキャリア選択結果として選択し、若しくは、前記アンカーキャリアの前記キャリアセットから、最大数のキャリアを含み該含まれるキャリアのキャリアＩＤの和が最大であるキャリアセットを前記単一チャネルのキャリア選択結果として選択するステップ、又は、
前記受信端に多重チャネルが構成される場合、前記Ｎ個のキャリアの各アンカーキャリアの前記キャリアセットに含まれるキャリアの数に従って、前記多重チャネルの各チャネルのキャリア選択結果を決定するステップ、
を含む、請求項１乃至９のいずれか一項に記載の方法。
【請求項１１】
前記受信端に多重チャネルが構成される場合、前記Ｎ個のキャリアのアンカーキャリアの前記キャリアセットから、少なくとも１つのキャリアセットをキャリア選択結果として選択する前記ステップは、
前記アンカーキャリアの前記キャリアセットから、１個のキャリアセットを前記多重チャネルの第１のチャネルのキャリア選択結果として選択するステップ、
を含み、
前記Ｎ個のキャリアのアンカーキャリアの前記キャリアセットから、少なくとも１つのキャリアセットをキャリア選択結果として選択する前記ステップの後に、当該方法は更に、
前記第１のチャネルの前記キャリア選択結果に含まれる前記キャリアを前記Ｎ個のキャリアから除くことによって、Ｍ個のキャリアを取得するステップと、
前記Ｍ個のキャリアから、異なるキャリアをそれぞれアンカーキャリアとして選択し、前記Ｍ個のキャリアにおける前記アンカーキャリアの第１の検索範囲を決定し、前記無線ブロックの各フレームにおける前記Ｍ個のキャリアのＡＲＦＣＮと、前記受信端によってサポートされる前記最大キャリア周波数間隔とに従って、前記アンカーキャリアの前記第１の検索範囲内で検索を行い、前記アンカーキャリアの第１のキャリアセットを決定するステップと、
前記Ｍ個のキャリアのアンカーキャリアの前記第１のキャリアセットから、１個のキャリアセットを前記多重チャネルのうち第２のチャネルのキャリア選択結果として選択するステップと、
を含む、請求項１乃至９のいずれか一項に記載の方法。
【請求項１２】
受信端に割り当てられるＮ個のキャリア各キャリアの、無線ブロックの各フレームにおける絶対無線周波数チャネル番号ＡＲＦＣＮを取得する前記ステップは、
割当てメッセージで搬送されるＮ個のキャリアのうち任意のキャリアの周波数パラメータに従って、該任意のキャリアの前記無線ブロックの各フレームにおけるＡＲＦＣＮを計算するステップであって、前記周波数パラメータはモバイル無線周波数チャネルアロケーションセットＭＡ、ホッピングシーケンス番号ＨＳＮ及びモバイル・アロケーション・インデックス・オフセットＭＡＩＯを含む、ステップ、又は、
割当てメッセージで搬送される任意のキャリアの指定ＡＲＦＣＮを、該任意のキャリアの各フレームにおけるＡＲＦＣＮとして設定するステップ、
を含む、請求項１乃至１１のいずれか一項に記載の方法。
【請求項１３】
前記ＭＡの数は２以上である、請求項１２に記載の方法。
【請求項１４】
マルチキャリアのキャリア選択装置であって、
受信端に割り当てられるＮ個のキャリア各キャリアの、無線ブロックの各フレームにおける絶対無線周波数チャネル番号ＡＲＦＣＮを取得するように構成される取得ユニットであって、Ｎは正の整数であり且つＮ≧２である、取得ユニットと、
前記Ｎ個のキャリアから、異なるキャリアをアンカーキャリアとしてそれぞれ選択し、前記取得ユニットによって取得された、前記無線ブロックの各フレームにおける前記Ｎ個のキャリアの各キャリアの前記ＡＲＦＣと、前記受信端がサポート可能な最大キャリア周波数間隔とに従って、前記アンカーキャリアの検索範囲内で検索を行って、前記アンカーキャリアのキャリアセットを決定するように構成される検索ユニットと、
前記検索ユニットによって決定された前記Ｎ個のキャリアのアンカーキャリアの前記キャリアセットから、少なくとも１つのキャリアセットをキャリア選択結果として選択するように構成される選択ユニット、と、
を備える装置。
【請求項１５】
前記検索ユニットは、
前記Ｎ個のキャリアの各キャリアを前記アンカーキャリアとして用いるように構成されるアンカーキャリア選択モジュール、
を有する、請求項１４に記載の装置。
【請求項１６】
前記検索ユニットはアンカーキャリア選択モジュールを有し、前記アンカーキャリア選択モジュールは、所定の第１の方向に従って、前記Ｎ個のキャリアの各キャリアを前記アンカーキャリアとして順に用いるように構成されるか、又は、
前記所定の第１の方向に従って、前記Ｎ個のキャリアから、所定の第１の方向における第１のキャリアを第１のアンカーキャリアとして選択し、前記第１のアンカーキャリアの検索範囲内での検索が終了し且つ前記第１のアンカーキャリアのキャリアセットが決定された後、前記Ｎ個のキャリアのうち前記所定の第１の方向において、前記第１のアンカーキャリアの前記キャリアセットの中で前記所定の第１の方向で最前方のキャリアに隣接する次のキャリアを決定し、前記次のキャリアが前記所定の第１の方向において前記第１のアンカーキャリアの前に位置する場合、前記次のキャリアを第２のアンカーキャリアとして用いるように構成される、
請求項１４に記載の装置。
【請求項１７】
前記所定の第１の方向は、
前記Ｎ個のキャリアのキャリアＩＤの昇順方向、又は、
前記Ｎ個のキャリアのキャリアＩＤの降順方向、又は、
前記無線ブロックの任意のフレームにおける前記Ｎ個のキャリアのＡＲＦＣＮの昇順方向、又は、
前記無線ブロックの任意のフレームにおける前記Ｎ個のキャリアのＡＲＦＣＮの降順方向、
を含む、請求項１６に記載の装置。
【請求項１８】
前記アンカーキャリアの前記検索範囲は、前記Ｎ個のキャリアのうち前記所定の第１の方向において前記アンカーキャリアに隣接する次のキャリアから、前記Ｎ個のキャリアのうち前記所定の第１の方向の最後のキャリアまでである、
請求項１６又は１７に記載の装置。
【請求項１９】
前記アンカーキャリアの前記検索範囲は、前記Ｎ個のキャリアのうち前記アンカーキャリアを除く全てのキャリアを含む、
請求項１４乃至１７のいずれか一項に記載の装置。
【請求項２０】
前記検索ユニットは検索モジュールを有し、前記検索モジュールは、
所定の検索方向に従って、前記アンカーキャリアの前記検索範囲内の未検索のキャリアから第１のキャリアを選択し、前記第１のキャリアと前記アンカーキャリアの第１のセット内の全てのキャリアの前記無線ブロックの各フレームにおけるＡＲＦＣＮのうち最大のＡＲＦＣＮと最小のＡＲＦＣＮとの差を計算するように構成され、且つ、
前記第１のキャリアと前記アンカーキャリアの前記第１のセット内の前記全てのキャリアの前記無線ブロックの任意のフレームにおけるＡＲＦＣＮのうち前記最大のＡＲＦＣＮと前記最小のＡＲＦＣＮとの前記差が、前記受信端によってサポートされる前記最大キャリア周波数間隔よりも大きい場合、前記アンカーキャリアの前記検索範囲内での前記検索を終了し、前記アンカーキャリアの前記第１のセットを前記アンカーキャリアの前記キャリアセットとして用いるか、又は、
前記第１のキャリアと前記第１のセット内の前記全てのキャリアの前記無線ブロックの各フレームにおけるＡＲＦＣＮのうち前記最大のＡＲＦＣＮと前記最小のＡＲＦＣＮとの前記差が、前記受信端によってサポートされる前記最大キャリア周波数間隔よりも大きくない場合、前記第１のキャリアを前記アンカーキャリアの前記第１のセットに追加するように構成され、
前記アンカーキャリアの前記第１のセットは少なくとも前記アンカーキャリアを含み、前記第１のセット内の前記全てのキャリアの前記無線ブロックの各フレームにおけるＡＲＦＣＮのうち最大のＡＲＦＣＮと最小のＡＲＦＣＮとの差は、前記受信端によってサポートされる前記最大キャリア周波数間隔よりも大きくない、
請求項１４乃至１９のいずれか一項に記載の装置。
【請求項２１】
前記所定の検索方向は、
前記アンカーキャリアの前記検索範囲内の全てのキャリアのキャリアＩＤの昇順方向、又は、
前記アンカーキャリアの前記検索範囲内の全てのキャリアのキャリアＩＤの降順方向、又は、
前記アンカーキャリアの前記検索範囲内の全てのキャリアの前記無線ブロックの任意のフレームにおけるＡＲＦＣＮの昇順方向、又は、
前記アンカーキャリアの前記検索範囲内の全てのキャリアの前記無線ブロックの任意のフレームにおけるＡＲＦＣＮの降順方向、又は、
前記アンカーキャリアが前記Ｎ個のキャリアのうちｉ番目のキャリアであり、且つ前記アンカーキャリアの前記検索範囲が前記ｉ番目のキャリアを除く前記Ｎ個のキャリアの全てのキャリアを含む場合、前記アンカーキャリアの前記検索範囲内で、最初に前記Ｎ個のキャリアの（ｉ＋１）番目のキャリアから前記Ｎ個のキャリアのＮ番目のキャリアに向かい、それから前記Ｎ個のキャリアの１番目のキャリアから前記Ｎ個のキャリアの（ｉ‐１）番目のキャリアに向かう方向であって、ｉは正の整数であり且つ１＜ｉ＜Ｎである、方向、
を含む、請求項２０に記載の装置。
【請求項２２】
前記検索ユニットは検索モジュールを有し、前記検索モジュールは、
前記アンカーキャリアの前記検索範囲内の未検索のキャリアから第１のキャリアを選択し、前記第１のキャリアと前記アンカーキャリアの第１のセット内の全てのキャリアの前記無線ブロックの各フレームにおけるＡＲＦＣＮのうち最大のＡＲＦＣＮと最小のＡＲＦＣＮとの差を計算するように構成され、
前記第１のキャリアと前記第１のセット内の前記全てのキャリアの前記無線ブロックの各フレームにおけるＡＲＦＣＮのうち前記最大のＡＲＦＣＮと前記最小のＡＲＦＣＮとの前記差が、前記受信端によってサポートされる前記最大キャリア周波数間隔よりも大きくない場合、選択された前記第１のキャリアを前記アンカーキャリアの前記第１のセットに追加するように構成され、
前記アンカーキャリアの前記検索範囲内に未検索のキャリアが存在するか否かを判定し、前記アンカーキャリアの前記検索範囲内に未検索のキャリアが存在すると判定された場合、前記アンカーキャリアの前記検索範囲内の前記未検索のキャリアから第２のキャリアを選択し、又は、前記アンカーキャリアの前記検索範囲内に未検索のキャリアが存在しないと判定された場合、前記アンカーキャリアの前記検索範囲内での前記検索を終了し、前記第１のセットを前記アンカーキャリアの前記キャリアセットとして用いるように構成され、
前記第１のセットは少なくとも前記アンカーキャリアを含み、前記第１のセット内の前記全てのキャリアの前記無線ブロックの各フレームにおけるＡＲＦＣＮのうち最大のＡＲＦＣＮと最小のＡＲＦＣＮとの差は、前記受信端によってサポートされる前記最大キャリア周波数間隔よりも大きくない、
請求項１４乃至１９のいずれか一項に記載の装置。
【請求項２３】
前記選択ユニットは、
前記受信端に単一チャネルが構成される場合、前記検索ユニットによって決定された前記Ｎ個のキャリアの前記アンカーキャリアの前記キャリアセットから、最大数のキャリアを含み該含まれるキャリアのキャリアＩＤの和が最小であるキャリアセットを前記単一チャネルのキャリア選択結果として選択し、若しくは、前記アンカーキャリアの前記キャリアセットから、最大数のキャリアを含み該含まれるキャリアのキャリアＩＤの和が最大であるキャリアセットを前記単一チャネルのキャリア選択結果として選択するように構成され、又は、
前記受信端に多重チャネルが構成される場合、前記検索ユニットによって決定された前記Ｎ個のキャリアの各アンカーキャリアの前記キャリアセットに含まれるキャリアの数に従って、前記多重チャネルの各チャネルのキャリア選択結果を決定するように構成される、
請求項１４乃至２２のいずれか一項に記載の装置。
【請求項２４】
前記受信端に多重チャネルが構成される場合、前記選択ユニットは、
前記検索ユニットによって決定された前記Ｎ個のキャリアの前記アンカーキャリアの前記キャリアセットから、１個のキャリアセットを前記多重チャネルの第１のチャネルのキャリア選択結果として選択し、前記第１のチャネルの前記キャリア選択結果を前記検索ユニットに送信するように構成され、
前記検索ユニットは更に、
前記選択ユニットによって選択された前記第１のチャネルの前記キャリア選択結果の前記キャリアを前記Ｎ個のキャリアから除くことによって、Ｍ個のキャリアを取得するように構成され、且つ、
前記Ｍ個のキャリアから、異なるキャリアをアンカーキャリアとしてそれぞれ選択し、前記Ｍ個のキャリアにおける前記アンカーキャリアの第１の検索範囲を決定し、前記無線ブロックの各フレームにおける前記Ｍ個のキャリアのＡＲＦＣＮと、前記受信端によってサポートされる前記最大キャリア周波数間隔とに従って、前記アンカーキャリアの前記第１の検索範囲内で検索を行い、前記アンカーキャリアの第１のキャリアセットを決定するように構成され、
前記選択ユニットは更に、前記検索ユニットによって決定された前記Ｍ個のキャリアのアンカーキャリアの前記第１のキャリアセットから、１個のキャリアセットを前記多重チャネルのうち第２のチャネルのキャリア選択結果として選択するように構成される、
請求項１４乃至２２のいずれか一項に記載の装置。
【請求項２５】
前記取得ユニットは、具体的には、
割当てメッセージで搬送されるＮ個のキャリアのうち任意のキャリアの周波数パラメータに従って、該任意のキャリアの前記無線ブロックの各フレームにおけるＡＲＦＣＮを計算するように構成され、前記周波数パラメータはモバイル無線周波数チャネルアロケーションセットＭＡ、ホッピングシーケンス番号ＨＳＮ及びモバイル・アロケーション・インデックス・オフセットＭＡＩＯを含み、又は、
割当てメッセージで搬送される任意のキャリアの指定ＡＲＦＣＮを、該任意のキャリアの各フレームにおけるＡＲＦＣＮとして設定するように構成される、
請求項１４乃至２４のいずれか一項に記載の装置。
【請求項２６】
前記ＭＡの数は２以上である
請求項２５に記載の装置。
【発明の詳細な説明】
【技術分野】
【０００１】
本発明は通信分野に関し、特に、マルチキャリアの選択方法及び装置に関する。
【背景技術】
【０００２】
ＧＳＭ  ＥＤＧＥ無線アクセスネットワーク（GSM  EDGE  Radio  Access  Network、略称ＧＥＲＡＮ）システム基地局は、不連続の周波数で複数のキャリアを利用して１つの端末と通信することができる。ＧＥＲＡＮのＰＳドメインにおける１つのパケットデータチャネル（packet  data  channel、略称ＰＤＣＨ）上の４個の連続フレームは１つの無線ブロックを構成し、データの符号化及び復号化は無線ブロック単位で実行される。ダウンリンクマルチキャリア（Downlink  MultiCarrier、略称ＤＬＭＣ）特性では、端末がサポートする最大キャリア周波数間隔の制限により、各無線ブロック周期において、一部のキャリア上のデータを受信できないという状況が生じ得る。この場合、送信端及び受信端が統一されたキャリアを用いて情報伝送を実行できるように、キャリア選択方法を採用され得る。例えば、送信端は複数のキャリアのうち一部のキャリアを送信用に選択することができ、これに応じて、受信端は該一部のキャリアでのみダウンリンク無線ブロックを監視する。
【０００３】
従来技術では、採用されるキャリア選択方法は総当たり方法であり、最大数のキャリアを含み端末によってサポートされる最大キャリア周波数間隔の制限を満たす解決策を発見するために、全てのキャリア選択解決策が列挙される。総当たり方法は、無向グラフの最大完全部分グラフを見つけることに相当し、計算の複雑性が非常に高い。
【発明の概要】
【０００４】
本発明の実施形態は、マルチキャリアの選択方法及び装置を提供し、複雑性が比較的低い方法を用いた検索によりダウンリンクマルチキャリアのキャリアの組合わせを実現する。
【０００５】
上記の目的を達成するために、本発明の実施形態では以下の技術的解決策を採用する。
【０００６】
第１の態様によれば、マルチキャリアのキャリア選択方法が提供される。本方法は、
受信端に割り当てられるＮ個のキャリア各キャリアの、無線ブロックの各フレームにおける絶対無線周波数チャネル番号ＡＲＦＣＮを取得するステップであって、Ｎは正の整数であり且つＮ≧２である、ステップと、
Ｎ個のキャリアから、異なるキャリアをアンカーキャリアとしてそれぞれ選択し、無線ブロックの各フレームにおける各キャリアのＡＲＦＣと、受信端がサポート可能な最大キャリア周波数間隔とに従って、アンカーキャリアの検索範囲内で検索を行って、アンカーキャリアのキャリアセットを決定するステップと、
Ｎ個のキャリアのアンカーキャリアのキャリアセットから、少なくとも１つのキャリアセットをキャリア選択結果として選択するステップと、
を含む。
【０００７】
第１の可能な実施方式では、第１の態様に従って、Ｎ個のキャリアから異なるキャリアをアンカーキャリアとしてそれぞれ選択するステップは、
Ｎ個のキャリアの各キャリアをアンカーキャリアとして用いるステップ、
を含む。
【０００８】
第２の可能な実施方式では、第１の態様に従って、Ｎ個のキャリアから異なるキャリアをアンカーキャリアとしてそれぞれ選択するステップは、
所定の第１の方向に従って、Ｎ個のキャリアの各キャリアをアンカーキャリアとして順に用いるステップ、又は、
所定の第１の方向に従って、Ｎ個のキャリアから、所定の第１の方向における第１のキャリアを第１のアンカーキャリアとして選択し、第１のアンカーキャリアの検索範囲内での検索が終了し、且つ第１のアンカーキャリアのキャリアセットが決定された後、Ｎ個のキャリアのうち所定の第１の方向において、第１のアンカーキャリアのキャリアセットの中で所定の第１の方向で最前方のキャリアに隣接する次のキャリアを決定し、次のキャリアが所定の第１の方向において第１のアンカーキャリアの前に位置する場合、次のキャリアを第２のアンカーキャリアとして用いるステップ、
を含む。
【０００９】
第３の可能な実施方式では、第２の可能な実施方式に関して、所定の第１の方向は、
Ｎ個のキャリアのキャリアＩＤの昇順方向、又は、
Ｎ個のキャリアのキャリアＩＤの降順方向、又は、
無線ブロックの任意のフレームにおけるＮ個のキャリアのＡＲＦＣＮの昇順方向、又は、
無線ブロックの任意のフレームにおけるＮ個のキャリアのＡＲＦＣＮの降順方向
を含む。
【００１０】
第４の可能な実施方式では、第２の可能な実施方式又は第３の可能な実施方式に関して、アンカーキャリアの検索範囲は、Ｎ個のキャリア所定の第１の方向においてアンカーキャリアに隣接する次のキャリアから、Ｎ個のキャリアのうち所定の第１の方向の最後のキャリアまでである。
【００１１】
第５の可能な実施方式では、第１の態様又は第１の可能な実施方式〜第４の可能な実施方式のうちいずれか１つに関して、アンカーキャリアの検索範囲は、Ｎ個のキャリアのうちアンカーキャリアを除く全てのキャリアを含む。
【００１２】
第６の可能な実施方式では、第１の態様又は第１の可能な実施方式〜第４の可能な実施方式のうちいずれか１つに関して、無線ブロックの各フレームにおける各キャリアのＡＲＦＣと、受信端がサポート可能な最大キャリア周波数間隔とに従って、アンカーキャリアの検索範囲内で検索を行って、アンカーキャリアのキャリアセットを決定するステップは、
所定の検索方向に従って、アンカーキャリアの検索範囲内の未検索のキャリアから第１のキャリアを順に選択し、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算するステップと、
第１のキャリアと第１のセット内の全てのキャリアの無線ブロックの任意のフレームにおけるＡＲＦＣＮのうち最大のＡＲＦＣＮと最小のＡＲＦＣＮとの差が、受信端によってサポートされる最大キャリア周波数間隔よりも大きい場合、アンカーキャリアの検索範囲内での検索を終了し、第１のセットをアンカーキャリアのキャリアセットとして用いるステップ、又は、
第１のキャリアと第１のセット内の全てのキャリアの無線ブロックの各フレームにおける最大のＡＲＦＣＮと最小のＡＲＦＣＮとの差が、受信端によってサポートされる最大キャリア周波数間隔よりも大きくない場合、第１のキャリアを第１のセットに追加するステップ、
を含み、
第１のセットは少なくともアンカーキャリアを含み、、第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【００１３】
第７の可能な実施方式では、第１の態様又は第１の可能な実施方式〜第５の可能な実施方式のうちいずれか１つに関して、所定の検索方向は、
アンカーキャリアの検索範囲内の全てのキャリアのキャリアＩＤの昇順方向、又は、
アンカーキャリアの検索範囲内の全てのキャリアのキャリアＩＤの降順方向、又は、
アンカーキャリアの検索範囲内の全てのキャリアの無線ブロックの任意のフレームにおけるＡＲＦＣＮの昇順方向、又は、
アンカーキャリアの検索範囲内の全てのキャリアの無線ブロックの任意のフレームにおけるＡＲＦＣＮの降順方向、又は、
アンカーキャリアがＮ個のキャリアのうちｉ番目のキャリアであり、且つアンカーキャリアの検索範囲がｉ番目のキャリアを除くＮ個のキャリアの全てのキャリアを含む場合、アンカーキャリアの検索範囲内で、最初にＮ個のキャリアの（ｉ＋１）番目のキャリアからＮ個のキャリアのＮ番目のキャリアに向かい、それからＮ個のキャリアの１番目のキャリアからＮ個のキャリアの（ｉ-１）番目のキャリアに向かう方向であって、ｉは正の整数であり且つ１＜ｉ＜Ｎである、方向、
を含む。
【００１４】
第８の可能な実施方式では、第１の態様又は第１の可能な実施方式〜第７の可能な実施方式のうちいずれか１つに関して、無線ブロックの各フレームにおけるＮ個のキャリアの各キャリアのＡＲＦＣと、受信端がサポート可能な最大キャリア周波数間隔とに従って、アンカーキャリアの検索範囲で検索を行って、アンカーキャリアのキャリアセットを決定するステップは、
アンカーキャリアの検索範囲内の未検索のキャリアから第１のキャリアを選択し、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算するステップと、
第１のキャリアと第１のセット内の全てのキャリアの無線ブロックの各フレームにおけるＡＲＦＣＮのうち最大のＡＲＦＣＮと最小のＡＲＦＣＮとの差が、受信端によってサポートされる最大キャリア周波数間隔よりも大きくない場合、選択された第１のキャリアを第１のセットに追加するステップと、
アンカーキャリアの検索範囲内に未検索のキャリアが存在するか否かを判定し、アンカーキャリアの検索範囲内に未検索のキャリアが存在すると判定された場合、アンカーキャリアの検索範囲内の未検索のキャリアから第２のキャリアを選択するか、又は、アンカーキャリアの検索範囲内に未検索のキャリアが存在しないと判定された場合、アンカーキャリアの検索範囲内での検索を終了し、第１のセットをアンカーキャリアのキャリアセットとして用いるステップと、
を含み、
第１のセットは少なくともアンカーキャリアを含み、第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【００１５】
第９の可能な実施方式では、第１の態様又は第１の可能な実施方式〜第８の可能な実施方式のうちいずれか１つに関して、Ｎ個のキャリアのアンカーキャリアのキャリアセットから少なくとも１つのキャリアセットをキャリア選択結果として選択するステップは、
受信端に単一チャネルが構成される場合、Ｎ個のキャリアのアンカーキャリアのキャリアセットから、最大数のキャリアを含み該含まれるキャリアのキャリアＩＤの和が最小であるキャリアセットを単一チャネルのキャリア選択結果として選択し、若しくは、Ｎ個のキャリアのアンカーキャリアのキャリアセットから、最大数のキャリアを含み該含まれるキャリアのキャリアＩＤの和が最大であるキャリアセットを単一チャネルのキャリア選択結果として選択するステップ、又は、
受信端に多重チャネルが構成される場合、Ｎ個のキャリアの各アンカーキャリアのキャリアセットに含まれるキャリアの数に従って、多重チャネルの各チャネルのキャリア選択結果を決定するステップ、
を含む。
【００１６】
第１０の可能な実施方式では、第１の態様又は第１の可能な実施方式〜第８の可能な実施方式のうちいずれか１つに関して、受信端に多重チャネルが構成される場合、Ｎ個のキャリアのアンカーキャリアのキャリアセットから、少なくとも１つのキャリアセットをキャリア選択結果として選択するステップは、
アンカーキャリアのキャリアセットから、１個のキャリアセットを多重チャネルの第１のチャネルのキャリア選択結果として選択するステップ、
を含み、
Ｎ個のキャリアのアンカーキャリアのキャリアセットから、少なくとも１つのキャリアセットをキャリア選択結果として選択するステップの後に、当該方法は更に、
第１のチャネルのキャリア選択結果に含まれるキャリアをＮ個のキャリアから除くことによって、Ｍ個のキャリアを取得するステップと、
Ｍ個のキャリアから、異なるキャリアをアンカーキャリアとしてそれぞれ選択し、Ｍ個のキャリアにおけるアンカーキャリアの第１の検索範囲を決定し、無線ブロックの各フレームにおけるＭ個のキャリアのＡＲＦＣＮと、受信端によってサポートされる最大キャリア周波数間隔とに従って、アンカーキャリアの第１の検索範囲内で検索を行い、アンカーキャリアの第１のキャリアセットを決定するステップと、
Ｍ個のキャリアのアンカーキャリアの第１のキャリアセットから、１個のキャリアセットを多重チャネルのうち第２のチャネルのキャリア選択結果として選択するステップと、
を含む。
【００１７】
第１１の可能な実施方式では、第１の態様又は第１の可能な実施方式〜第１０の可能な実施方式のうちいずれか１つに関して、受信端に割り当てられるＮ個のキャリア各キャリアの、無線ブロックの各フレームにおける絶対無線周波数チャネル番号ＡＲＦＣＮを取得するステップは、
割当てメッセージで搬送されるＮ個のキャリアのうち任意のキャリアの周波数パラメータに従って、該任意のキャリアの無線ブロックの各フレームにおけるＡＲＦＣＮを計算するステップであって、周波数パラメータはモバイル無線周波数チャネルアロケーションセットＭＡ、ホッピングシーケンス番号ＨＳＮ及びモバイル・アロケーション・インデックス・オフセットＭＡＩＯを含む、ステップ、又は、
割当てメッセージで搬送される任意のキャリアの指定ＡＲＦＣＮを、該任意のキャリアの各フレームにおけるＡＲＦＣＮとして設定するステップ、
を含む。
【００１８】
第１２の可能な実施方式では、第１１の可能な実施方式に関して、ＭＡの数は２以上である。
【００１９】
第２の態様によれば、マルチキャリアの選択装置が提供される。本装置は、
受信端に割り当てられるＮ個のキャリア各キャリアの、無線ブロックの各フレームにおける絶対無線周波数チャネル番号ＡＲＦＣＮを取得するように構成される取得ユニットであって、Ｎは正の整数であり且つＮ≧２である、取得ユニットと、
Ｎ個のキャリアから異なるキャリアをアンカーキャリアとしてそれぞれ選択し、取得ユニットによって取得された、無線ブロックの各フレームにおけるＮ個のキャリアの各キャリアのＡＲＦＣと、受信端がサポート可能な最大キャリア周波数間隔とに従って、アンカーキャリアの検索範囲内で検索を行って、アンカーキャリアのキャリアセットを決定するように構成される検索ユニットと、
検索ユニットによって決定されたＮ個のキャリアのアンカーキャリアのキャリアセットから、少なくとも１つのキャリアセットをキャリア選択結果として選択するように構成される選択ユニットと、
を有する。
【００２０】
第１の可能な実施方式では、第２の態様に従って、検索ユニットは、Ｎ個のキャリアの各キャリアをアンカーキャリアとして用いるように構成されるアンカーキャリア選択モジュールを有する。
【００２１】
第２の可能な実施方式では、第２の態様に従って、検索ユニットはアンカーキャリア選択モジュールを有し、アンカーキャリア選択モジュールは、所定の第１の方向に従って、Ｎ個のキャリアの各キャリアをアンカーキャリアとして順に用いるように構成されるか、又は、
所定の第１の方向に従って、Ｎ個のキャリアから、所定の第１の方向における第１のキャリアを第１のアンカーキャリアとして選択し、第１のアンカーキャリアの検索範囲内での検索が終了し且つ第１のアンカーキャリアのキャリアセットが決定された後、Ｎ個のキャリアのうち所定の第１の方向において、第１のアンカーキャリアのキャリアセットの中で所定の第１の方向で最前方のキャリアに隣接する次のキャリアを決定し、次のキャリアが所定の第１の方向において第１のアンカーキャリアの前に位置する場合、次のキャリアを第２のアンカーキャリアとして用いるように構成される。
【００２２】
第３の可能な実施方式では、第２の可能な実施方式に関して、所定の第１の方向は、
Ｎ個のキャリアのキャリアＩＤの昇順方向、又は、
Ｎ個のキャリアのキャリアＩＤの降順方向、又は、
無線ブロックの任意のフレームにおけるＮ個のキャリアのＡＲＦＣＮの昇順方向、又は、
無線ブロックの任意のフレームにおけるＮ個のキャリアのＡＲＦＣＮの降順方向
を含む。
【００２３】
第４の可能な実施方式では、第２の可能な実施方式又は第３の可能な実施方式に関して、アンカーキャリアの検索範囲は、Ｎ個のキャリアのうち所定の第１の方向においてアンカーキャリアに隣接する次のキャリアから、Ｎ個のキャリアのうち所定の第１の方向の最後のキャリアまでである。
【００２４】
第５の可能な実施方式では、第２の態様又は第１の可能な実施方式〜第４の可能な実施方式のうちいずれか１つに関して、アンカーキャリアの検索範囲は、Ｎ個のキャリアのうちアンカーキャリアを除く全てのキャリアを含む。
【００２５】
第６の可能な実施方式では、第２の態様又は第１の可能な実施方式〜第５の可能な実施方式のうちいずれか１つに関して、検索ユニットは検索モジュールを有する。検索モジュールは、所定の検索方向に従って、アンカーキャリアの検索範囲内の未検索のキャリアから第１のキャリアを選択し、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算するように構成され、且つ、
第１のキャリアと第１のセット内の全てのキャリアの無線ブロックの任意のフレームにおけるＡＲＦＣＮのうち最大のＡＲＦＣＮと最小のＡＲＦＣＮとの差が受信端によってサポートされる最大キャリア周波数間隔よりも大きい場合、アンカーキャリアの検索範囲内での検索を終了し、第１のセットをアンカーキャリアのキャリアセットとして用いるか、又は、
第１のキャリアと第１のセット内の全てのキャリアの無線ブロックの各フレームにおける無線ブロックのＡＲＦＣＮのうち最大のＡＲＦＣＮと最小のＡＲＦＣＮとの差が受信端によってサポートされる最大キャリア周波数間隔よりも大きくない場合、第１のキャリアを第１のセットに追加するように構成され、
第１のセットは少なくともアンカーキャリアを含み、第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【００２６】
第７の可能な実施方式では、第６の可能な実施方式に関して、アンカーキャリアの検索範囲内の全てのキャリアのキャリアＩＤの昇順方向、又は、
アンカーキャリアの検索範囲内の全てのキャリアのキャリアＩＤの降順方向、又は、
アンカーキャリアの検索範囲内の全てのキャリアの無線ブロックの任意のフレームにおけるＡＲＦＣＮの昇順方向、又は、
アンカーキャリアの検索範囲内の全てのキャリアの無線ブロックの任意のフレームにおけるＡＲＦＣＮの降順方向、又は、
アンカーキャリアがＮ個のキャリアのうちｉ番目のキャリアであり、且つアンカーキャリアの検索範囲がｉ番目のキャリアを除くＮ個のキャリアの全てのキャリアを含む場合、アンカーキャリアの検索範囲内で、最初にＮ個のキャリアの（ｉ＋１）番目のキャリアからＮ個のキャリアのＮ番目のキャリアに向かい、それからＮ個のキャリアの１番目のキャリアからＮ個のキャリアの（ｉ−１）番目のキャリアに向かう方向であって、ｉは正の整数であり且つ１＜ｉ＜Ｎである、方向、
を含む。
【００２７】
第８の可能な実施方式では、第２の態様又は第１の可能な実施方式〜第５の可能な実施方式のうちいずれか１つに関して、検索ユニットは検索モジュールを有する。検索モジュールは、アンカーキャリアの検索範囲内の未検索のキャリアから第１のキャリアを選択し、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算するように構成され、
第１のキャリアと第１のセット内の全てのキャリアの無線ブロックの各フレームにおけるＡＲＦＣＮのうち最大のＡＲＦＣＮと最小のＡＲＦＣＮとの差が受信端によってサポートされる最大キャリア周波数間隔よりも大きくない場合、選択された第１のキャリアをアンカーキャリアの第１のセットに追加するように構成され、
アンカーキャリアの検索範囲内に未検索のキャリアが存在するか否かを判定し、アンカーキャリアの検索範囲内に未検索のキャリアが存在すると判定された場合、アンカーキャリアの検索範囲内の未検索のキャリアから第２のキャリアを選択し、又は、アンカーキャリアの検索範囲内に未検索のキャリアが存在しないと判定された場合、アンカーキャリアの検索範囲内での検索を終了し、第１のセットをアンカーキャリアのキャリアセットとして用いるように構成され、
第１のセットは少なくともアンカーキャリアを含み、第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【００２８】
第９の可能な実施方式では、第２の態様又は第１の可能な実施方式〜第８の可能な実施方式のうちいずれか１つに関して、選択ユニットは、受信端に単一チャネルが構成される場合、検索ユニットによって決定されたＮ個のキャリアのアンカーキャリアのキャリアセットから、最大数のキャリアを含み該含まれるキャリアのキャリアＩＤの和が最小であるキャリアセットを単一チャネルのキャリア選択結果として選択し、若しくは、アンカーキャリアのキャリアセットから、最大数のキャリアを含み該含まれるキャリアのキャリアＩＤの和が最大であるキャリアセットを単一チャネルのキャリア選択結果として選択するように構成され、又は、
受信端に多重チャネルが構成される場合、検索ユニットによって決定されたＮ個のキャリアの各アンカーキャリアのキャリアセットに含まれるキャリアの数と、Ｎ個のキャリアの各アンカーキャリアのキャリアセットに含まれるキャリアのキャリアＩＤの和とに従って、多重チャネルの各チャネルのキャリア選択結果を決定するように構成される。
【００２９】
第１０の可能な実施方式では、第２の態様又は第１の可能な実施方式〜第８の可能な実施方式のうちいずれか１つに関して、受信端に多重チャネルが構成される場合、選択ユニットは、
検索ユニットによって決定されたＮ個のキャリアのアンカーキャリアのキャリアセットから、１個のキャリアセットを多重チャネルの第１のチャネルのキャリア選択結果として選択し、第１のチャネルのキャリア選択結果を検索ユニットに送信するように構成され、
検索ユニットは更に、
選択ユニットによって選択された第１のチャネルのキャリア選択結果のキャリアをＮ個のキャリアから除くことによって、Ｍ個のキャリアを取得するように構成され、且つ、
Ｍ個のキャリアから、異なるキャリアをアンカーキャリアとしてそれぞれ選択し、Ｍ個のキャリアにおけるアンカーキャリアの第１の検索範囲を決定し、無線ブロックの各フレームにおけるＭ個のキャリアのＡＲＦＣＮと、受信端によってサポートされる最大キャリア周波数間隔とに従って、アンカーキャリアの第１の検索範囲内で検索を行い、アンカーキャリアの第１のキャリアセットを決定するように構成され、
選択ユニットは更に、検索ユニットによって決定されたＭ個のキャリアのアンカーキャリアの第１のキャリアセットから、１個のキャリアセットを多重チャネルのうち第２のチャネルのキャリア選択結果として選択するように構成される。
【００３０】
第１１の可能な実施方式では、第２の態様又は第１の可能な実施方式〜第１０の可能な実施方式のうちいずれか１つに関して、取得ユニットは、具体的には、
割当てメッセージで搬送されるＮ個のキャリアのうち任意のキャリアの周波数パラメータに従って、該任意のキャリアの無線ブロックの各フレームにおけるＡＲＦＣＮを計算するように構成され、周波数パラメータはモバイル無線周波数チャネルアロケーションセットＭＡ、ホッピングシーケンス番号ＨＳＮ及びモバイル・アロケーション・インデックス・オフセットＭＡＩＯを含み、又は、
割当てメッセージで搬送される任意のキャリアの指定ＡＲＦＣＮを、該任意のキャリアの各フレームにおけるＡＲＦＣＮとして設定するように構成される。
【００３１】
第１２の可能な実施方式では、第２の態様の第１１の可能な実施方式に関して、ＭＡの数は２以上である。
【００３２】
本発明の実施形態は、マルチキャリアのキャリア選択方法及び装置を提供する。受信端に割り当てられるＮ個のキャリア各キャリアの、無線ブロックの各フレームにおける絶対無線周波数チャネル番号ＡＲＦＣＮが取得され、異なるキャリアがアンカーキャリアとして選択され、無線ブロックの各フレームにおける各キャリアのＡＲＦＣと、受信端がサポート可能な最大キャリア周波数間隔とに従って、各アンカーキャリアの検索範囲内で検索が行われて、各アンカーキャリアのキャリアセットが決定され、Ｎ個のキャリアの全てのアンカーキャリアのキャリアセットから、少なくとも１つのキャリアセットがキャリア選択結果として選択される。従来技術の総当たり方法と比較すると、本発明の実施形態では、所定の規則に従ってアンカーキャリアの選択が行われ、アンカーキャリアのキャリアセットが決定され、アンカーキャリアのキャリアセットからキャリア選択結果が選択される。よって、複雑性が比較的低い方法を用いた検索により、ダウンリンクマルチキャリアのキャリアの組合わせの取得が実現される。
【図面の簡単な説明】
【００３３】
本発明の実施形態又は従来技術における技術的解決策をより明確に説明するために、以下簡単に、実施形態又は従来技術の説明に必要な添付の図面を紹介する。当然ながら、以下の説明において、添付の図面は本発明の一部の実施形態を示すものに過ぎない。当業者であれば、これらの添付の図面から創意工夫なく他の図面から更に導出できるであろう。
【図１】フレームの構造図である。
【図２】本発明の実施形態に係るマルチキャリアのキャリア選択方法のフローチャートである。
【図３Ａ】本発明の実施形態に係る受信端の異なる構成の概略図である。
【図３Ｂ】本発明の実施形態に係る受信端の異なる構成の概略図である。
【図４】本発明の実施形態に係る、マルチキャリアの別のキャリア選択方法のフローチャートである。
【図５】本発明の実施形態に係る、別のマルチキャリアのキャリア選択方法のフローチャートである。
【図６】本発明の実施形態に係る、別のマルチキャリアのキャリア選択方法のフローチャートである。
【図７】本発明の実施形態に係る、別のマルチキャリアのキャリア選択方法のフローチャートである。
【図８】本発明の実施形態に係る、マルチキャリアのキャリア選択装置の装置構造概略図である。
【図９】本発明の実施形態に係る、別のマルチキャリアのキャリア選択装置の装置構造概略図である。
【図１０】本発明の実施形態に係る、別のマルチキャリアのキャリア選択装置の装置構造概略図である。
【発明を実施するための形態】
【００３４】
本発明の実施形態において添付の図面を参照して、本発明の実施形態における技術的解決策を明確且つ完全に説明する。当然ながら、説明される実施形態は本発明の実施形態の一部であって全部ではない。当業者が本発明の実施形態に基づいて創意工夫なく得た他の実施形態は、全て本発明の保護範囲に包含されるものとする。
【００３５】
本発明の実施形態で提供されるマルチキャリアの選択方法は、ＧＥＲＡＮシステムに適用可能である。ＧＥＲＡＮシステム基地局は、多重キャリアを用いて１つの端末と通信することができる。留意すべきこととして、ここでのマルチキャリアは連続周波数の複数のキャリアではなく、分離された絶対無線周波数チャネル番号（Absolute  Radio  Frequency  Channel  Number、略称ＡＲＦＣＮ）（周波数ホッピングが実行されない場合）又はモバイル・アロケーション・インデックス・オフセット・端末割当てインデックスオフセット（Mobile  Allocation  Index  Offset、略称ＭＡＩＯ）、モバイル無線周波数チャネルアロケーションセット（Mobile  Allocation、略称ＭＡ）及びホッピングシーケンス番号（Hopping  Sequence  Number、略称ＨＳＮ）（周波数ホッピングが実行される場合）に割り当てられる、分離された周波数リソースであってよい。
【００３６】
図１を参照する。図１は、ＧＥＲＡＮのＰＳドメインにおけるＰＤＣＨチャネルのマルチフレームの構造概略図である。図に示されるように、ＧＥＲＡＮのＰＳドメインにおける４個の連続フレーム（又はタイムスロット、又はバーストburst）は、１個の無線ブロック（図中Ｂで示される）を構成し、データの符号化及び復号化は無線ブロック単位で実行される。ＤＬＭＣについて、端末がサポートする最大キャリア周波数間隔の制限により、各無線ブロック周期において、一部のキャリア上のデータを受信できないという状況が生じ得る。例えば、端末によってサポートされる最大キャリア周波数間隔が２５である（ＡＲＦＣＮの数を単位とする：各ＡＲＦＣＮは２００ｋＨｚであり、この場合、端末によってサポートされる最大キャリア周波数間隔帯域幅は２００＊２５＝５ＭＨｚである）場合、フレームにおいて、３個のキャリアはＡＲＦＣＮがそれぞれ３５、４５、７０である周波数チャネル番号に対応しており、最大キャリア周波数間隔は３５であり、端末によってサポートされる最大キャリア周波数間隔を超える。この場合、データが該３個のキャリアで伝送される場合、端末は一部のキャリアのデータを受信することができる。
【００３７】
この場合、送信端及び受信端が統一されたキャリアを用いてそれぞれデータ伝送を実行できるように、方法を採用することができる。例えば、送信端は一部のキャリアを送信用に選択することができ、これに応じて、受信端は該一部のキャリアのみを監視して、無線ブロックが存在するか否かを検出する。
【００３８】
本発明の実施形態は、マルチキャリアの選択方法及び装置を提供する。本発明の実施形態で提供されるマルチキャリア選択方法は、送信端及び受信端に適用可能であり、更に、キャリアで周波数ホッピングが実行される状況及びキャリアで周波数ホッピングが実行されない状況に適用可能であり得る。本発明の実施形態で提供されるマルチキャリアの選択装置は、送信端及び受信端に配置されてよい。
【００３９】
端末（例えば携帯電話）によるマルチキャリア信号の送信の複雑性を考慮して、一般に、マルチキャリアに基づく伝送技術は、主にダウンリンクデータの送信に採用される。本発明の実施形態では、単にダウンリンクキャリア選択を例として説明する。
【００４０】
図２を参照する。図２は、本発明の実施形態に係るマルチキャリアの選択方法を示す。図に示されるように、本方法は以下のステップを含んでよい。
【００４１】
２０１．受信端に割り当てられるＮ個のキャリア各キャリアの、無線ブロックの各フレームにおける絶対無線周波数チャネル番号ＡＲＦＣＮを取得する。Ｎは正の整数であり、且つＮ≧２である。
【００４２】
任意に、ＡＲＦＣＮを取得する方式は、キャリアで周波数ホッピングが実行される状況と、キャリアで周波数ホッピングが実行されない状況とに従って、異なる場合がある。
【００４３】
例えば、周波数ホッピングが実行されないキャリアでは、ＡＲＦＣＮは割当てメッセージにおいて直接指定される。キャリアのＡＲＦＣＮは割当てメッセージに従って直接取得されてよく、周波数ホッピングが実行されないキャリアの全てのフレームのＡＲＦＣＮは等しい。
【００４４】
周波数ホッピングが実行されるキャリアでは、無線ブロックの各フレームにおけるＡＲＦＣＮは、割当てメッセージに含まれる周波数パラメータに従って計算されてよい。周波数パラメータはＭＡ、ＨＳＮ及びＭＡＩＯを含む。具体的なアルゴリズムは、規格に規定される、周波数パラメータと現在のフレーム番号ＦＮとを用いてＡＲＦＣＮを計算するアルゴリズムであってよい。例えば、規格プロトコル３ＧＰＰ  ＴＳ４５．００５に従う周波数ホッピングアルゴリズムであってよい。ここでは詳細の説明を省略する。
【００４５】
上記のＭＡの数は２以上であってよい。すなわち、本発明の本実施形態では、本方法は、１個のＭＡの場合に適用されてよく、或いは、複数のＭＡの場合に適用されてよい。例えば、割当てメッセージが２つのグループの周波数リソースパラメータを搬送する場合であって、第１のグループの周波数リソースパラメータがＭＡ１＝｛１、７、１３、１９、２５｝、ＨＳＮ１＝１０、ＭＡＩＯ１＝｛０、１、３、４｝であり、且つ第２のグループの周波数リソースパラメータがＭＡ２＝｛３、９、１５、２１、２７｝、ＨＳＮ２＝１０、ＭＡＩＯ２＝｛２、３、５｝である場合、該２つのグループの周波数リソースパラメータに対応する全てのキャリアが、ステップ２０１におけるＮ個のキャリアとして用いられてよい。複数のＭＡの状況での実行プロセスは１個のＭＡの状況と同じであり、本発明の目的の達成には影響しない。したがって、本発明の本実施形態は、ＭＡの数を限定しない。
【００４６】
２０２．Ｎ個のキャリアから異なるキャリアをアンカーキャリアとしてそれぞれ選択し、無線ブロックの各フレームにおける各キャリアのＡＲＦＣと、受信端がサポート可能な最大キャリア周波数間隔とに従って、アンカーキャリアの検索範囲内で検索を行って、アンカーキャリアのキャリアセットを決定する。
【００４７】
任意に、Ｎ個のキャリアから異なるキャリアをアンカーキャリアとして選択する工程は、具体的には、以下の方式のうちいずれか１つで実行されてよい。
【００４８】
方式１：Ｎ個のキャリアの各キャリアをアンカーキャリアとして用いる。
【００４９】
方式１では、各キャリアをアンカーキャリアとして用いて１回の検索を行う。各キャリアをアンカーキャリアとして用いて１回の検索を行うことが保証されるという条件で、キャリアをアンカーキャリアとして用いる順序は変更されてよい、。この方式では検索回数が比較的大きく、単一ユーザーシナリオではキャリア選択性能が比較的望ましい。
【００５０】
方式２：所定の第１の方向に従って、Ｎ個のキャリアの各キャリアを順にアンカーキャリアとして用いる。
【００５１】
方式２では、各キャリアをアンカーキャリアとして用いて１回の検索を行う。方式２は、全てのキャリアを特定の順序でアンカーキャリアとして用いるという点で、方式１と異なる。本発明の本実施形態では、所定の第１の方向について具体的な限定は設定しない。例えば、所定の第１の方向は、
Ｎ個のキャリアのキャリアＩＤの昇順方向、又は、
Ｎ個のキャリアのキャリアＩＤの降順方向、又は、
無線ブロックの任意のフレームにおけるＮ個のキャリアのＡＲＦＣＮの昇順方向、又は、
無線ブロックの任意のフレームにおけるＮ個のキャリアのＡＲＦＣＮの降順方向
を含んでよい。
【００５２】
上記のキャリアＩＤは、ネットワーク側で構成されるキャリア番号であってよく、或いは、ＭＡＩＯセットのＭＡＩＯのサイズに従ってソートした後に決定されるキャリアＩＤであってよい。例えば、ＭＡＩＯ＝｛０、３、２｝であり、且つネットワーク側で構成された対応するキャリア番号が｛０、１、２｝である場合、ＭＡＩＯ値の昇順でソートが実行された後、キャリア番号｛０、２、１｝に対応するキャリアＩＤ｛０、１、２｝が得られる。
【００５３】
方式３：所定の第１の方向に従って、Ｎ個のキャリアから、所定の第１の方向における第１のキャリアが第１のアンカーキャリアとして選択される。第１のアンカーキャリアの検索範囲内での検索が終了し且つ第１のアンカーキャリアのキャリアセットが決定された後、Ｎ個のキャリアのうち所定の第１の方向において、第１のアンカーキャリアのキャリアセットの中で所定の第１の方向で最前方のキャリアに隣接する次のキャリアが決定される。次のキャリアが所定の第１の方向において第１のアンカーキャリアの前に位置する場合、次のキャリアは第２のアンカーキャリアとして用いられる。
【００５４】
所定の第１の方向についての説明は、方式２の所定の第１の方向についての説明と一致するので、詳細の説明を省略する。
【００５５】
上記の方式３では、アンカーキャリアとして選択されるキャリアの数が低減され、計算の複雑性が著しく低減される。
【００５６】
アンカーキャリアの検索範囲は、Ｎ個のキャリアのうちアンカーキャリアを除く全てのキャリアを含んでよい。
【００５７】
任意に、アンカーキャリアを選択する上記の方式２及び方式３について、アンカーキャリアの検索範囲は、Ｎ個のキャリアのうち所定の第１の方向においてアンカーキャリアに隣接する次のキャリアから、Ｎ個のキャリアのうち所定の第１の方向の最後のキャリアまでであってよく、これによりアンカーキャリアの検索範囲が狭まり、複雑性が更に低減される。
【００５８】
無線ブロックの各フレームにおける各キャリアのＡＲＦＣと、受信端がサポート可能な最大キャリア周波数間隔とに従って、アンカーキャリアの検索範囲内で検索を行って、アンカーキャリアのキャリアセットを決定するステップの詳細については、本実施形態の第１の実施シナリオの実施方式及び第２の実施シナリオの実施方式を参照することができる。
【００５９】
２０３．Ｎ個のキャリアのアンカーキャリアのキャリアセットから、少なくとも１つのキャリアセットをキャリア選択結果として選択する。
【００６０】
具体的には、受信端に単一チャネルが構成される場合、Ｎ個のキャリアのアンカーキャリアのキャリアセットから、最大数のキャリアを含む１個のキャリアセットが単一チャネルのキャリア選択結果として選択されてよい。最大数のキャリアを含むキャリアセットが少なくとも２個存在する場合、単一チャネルのキャリア選択結果は、該少なくとも２個のキャリアセットに含まれるキャリアのキャリアＩＤの和に従って決定されてよい。例えば、含まれるキャリアのキャリアＩＤの和が最小であるキャリアセットが選択され、或いは、含まれるキャリアのキャリアＩＤの和が最大であるキャリアセットが選択される。加えて、アンカーキャリアが所定の第１の方向に従って選択されているとき、最初に出現し最大数のキャリアを含むキャリアセットが単一チャネルのキャリア選択結果として用いられてもよい。ここでは限定されない。
【００６１】
受信端に多重チャネルが構成される場合、多重チャネルの各チャネルのキャリア選択結果は、Ｎ個のキャリアの各アンカーキャリアのキャリアセットに含まれるキャリアの数に従って決定される。
【００６２】
例えば、アンカーキャリアのキャリアセットのうち最大数のキャリアを含むキャリアセットが第１のチャネルに割り当てられ、残りのキャリアセットのうち最大数のキャリアを含むキャリアセットが第２のチャネルに割り当てられる。加えて、最大数のキャリアを含むキャリアセットが少なくとも２個存在する場合、含まれるキャリアのキャリアＩＤの和に従って割当てが実行されてよい。又は、アンカーキャリアが所定の第１の方向に従って選択されている場合、キャリアセットが出現する順序で割当てが実行されてよい。例えば、最初に出現し最大数のキャリアを含むキャリアセットが第１のチャネルに割り当てられる。詳細の説明は省略する。
【００６３】
別の例として、Ｎ個のキャリアのアンカーキャリアのキャリアセットの中に、同じ最大数のキャリアを含むキャリアセットが少なくとも２つ存在する場合、デュアル受信チャネルを構成された受信端では、含まれるキャリアのキャリアＩＤの和が最小であり且つ最大数のキャリアを含む２つのキャリアセットがキャリア選択結果として選択される。又は、同じ最大数のキャリアを含むキャリアセットが少なくとも２つ存在しない場合、最大数のキャリアを含むキャリアセットと、２番目に最大数のキャリアを含むキャリアセットとが、キャリア選択結果として選択される。
【００６４】
任意に、受信端の異なるチャネル構成について、ステップ２０２の検索方式がフレキシブルに活用されてよい。例えば、単一チャネルを構成された受信端では、ステップ２０２の検索方式で直接的に１回の検索が実行される。多重チャネルを構成され複数の周波数帯域での連続受信（inter-band  receiptionとも呼ばれる）をサポートする受信端について、図３Ａを参照すると、異なるＭＡのキャリア割当てシナリオでは、異なる周波数帯域のキャリアセット結果を得るために、ステップ２０２を実行することにより別々にキャリア選択を実行すればよい。例えば、ＭＡ１＝｛１、１０、１９、２８、３７、４６｝（周波数帯域１に属する）であり、ＭＡ２＝｛５１２、５２１、５３０、５３９、５４８｝である（周波数帯域２に属する）場合（周波数チャネル番号１〜１２４は周波数帯域１に属し、周波数チャネル番号５１２〜８８５は周波数帯域２に属する）、異なるＭＡに対応する割り当てられるキャリアについて、異なる周波数帯域についてＡＲＦＣＮの表が別々にリスト化され、ステップ２０２を実行することにより別々に検索が実行されて、各周波数帯域での検索後に得られるキャリアセットが取得され、各周波数帯域のキャリアセットから、１個のキャリアセットが最終的なキャリアセット結果として選択される。
【００６５】
本発明の本実施形態は、マルチキャリアのキャリア選択方法を提供する。異なるキャリアがアンカーキャリアとして選択され、無線ブロックの各フレームにおける各キャリアのＡＲＦＣＮと、受信端によってサポートされる最大キャリア周波数間隔とに従って、全てのアンカーキャリアに対応するキャリアセットが順に検索され、所定の方針に従って１以上のキャリアセットがキャリア選択結果として選択される。よって、複雑性が比較的低い方法を用いた検索により、最適なキャリアの組合わせの取得が実現され、総当たり方法の複雑性が非常に高いという従来技術の欠点が克服される。
【００６６】
任意に、第１の実施シナリオでは、ステップ２０２において、無線ブロックの各フレームにおける各キャリアのＡＲＦＣと、受信端がサポート可能な最大キャリア周波数間隔とに従って、アンカーキャリアの検索範囲内で検索を行って、アンカーキャリアのキャリアセットを決定するステップは、
所定の検索方向に従って、アンカーキャリアの検索範囲内の未検索のキャリアから第１のキャリアを選択し、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算するステップと、
第１のキャリアと第１のセット内の全てのキャリアの無線ブロックの任意のフレームにおけるＡＲＦＣＮのうち最大のＡＲＦＣＮと最小のＡＲＦＣＮとの差が、受信端によってサポートされる最大キャリア周波数間隔よりも大きい場合、アンカーキャリアの検索範囲内での検索を終了し、第１のセットをアンカーキャリアのキャリアセットとして用いるステップ、又は、
第１のキャリアと第１のセット内の全てのキャリアの無線ブロックの各フレームにおけるＡＲＦＣＮのうち最大のＡＲＦＣＮと最小のＡＲＦＣＮとの差が、受信端によってサポートされる最大キャリア周波数間隔よりも大きくない場合、第１のキャリアを第１のセットに追加するステップと、
を含む。
【００６７】
第１のセットは、少なくともアンカーキャリアを含む。第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【００６８】
所定の検索方向は、
アンカーキャリアの検索範囲内の全てのキャリアのキャリアＩＤの昇順方向、
アンカーキャリアの検索範囲内の全てのキャリアのキャリアＩＤの降順方向、
アンカーキャリアの検索範囲内の全てのキャリアの無線ブロックの任意のフレームにおけるＡＲＦＣＮの昇順方向、
アンカーキャリアの検索範囲内の全てのキャリアの無線ブロックの任意のフレームにおけるＡＲＦＣＮの降順方向、及び、
アンカーキャリアがＮ個のキャリアのうちｉ番目のキャリアであり、且つアンカーキャリアの検索範囲がｉ番目のキャリアを除くＮ個のキャリアの全てのキャリアを含む場合、アンカーキャリアの検索範囲内で、最初にＮ個のキャリアの（ｉ＋１）番目のキャリアからＮ個のキャリアのＮ番目のキャリアに向かい、それからＮ個のキャリアの１番目のキャリアからＮ個のキャリアの（ｉ−１）番目のキャリアに向かう方向であって、ｉは正の整数であり且つ１＜ｉ＜Ｎである、方向、
のうちいずれか１つであってよい。
【００６９】
ｉ番目のキャリアは、具体的には、キャリアＩＤでソートした後のｉ番目のキャリアであってよく、或いは、ＡＲＦＣＮでソートした後のｉ番目のキャリアであってよく、ここでは限定されない。
【００７０】
上記の第１の実施シナリオでは、アンカーキャリアの検索範囲内で検索が実行されている場合、検索終了フラグは、任意にフレームにおける最大のＡＲＦＣＮと最小のＡＲＦＣＮとの差が受信端によってサポートされる最大キャリア周波数間隔よりも大きいことである。したがって、アンカーキャリアの検索範囲内のキャリアが常に検索によって取得できるわけではなく、検索プロセスが単純である。
【００７１】
任意に、第２の実施シナリオでは、ステップ２０２において、無線ブロックの各フレームにおける各キャリアのＡＲＦＣと、受信端がサポート可能な最大キャリア周波数間隔とに従って、アンカーキャリアの検索範囲内で検索を行ってアンカーキャリアのキャリアセットを決定するステップは、
アンカーキャリアの検索範囲内の未検索のキャリアから第１のキャリアを選択し、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算するステップと、
第１のキャリアと第１のセット内の全てのキャリアの無線ブロックの各フレームにおけるＡＲＦＣＮのうち最大のＡＲＦＣＮと最小のＡＲＦＣＮとの差が、受信端によってサポートされる最大キャリア周波数間隔よりも大きくない場合、選択された第１のキャリアを第１のセットに追加するステップと、
アンカーキャリアの検索範囲内に未検索のキャリアが存在するか否かを判定し、アンカーキャリアの検索範囲内に未検索のキャリアが存在すると判定された場合、アンカーキャリアの検索範囲内の未検索のキャリアから第２のキャリアを選択するか、又は、アンカーキャリアの検索範囲内に未検索のキャリアが存在しないと判定された場合、アンカーキャリアの検索範囲内での検索を終了し、第１のセットをアンカーキャリアのキャリアセットとして用いるステップと、
を含む。
【００７２】
第１のセットは、少なくともアンカーキャリアを含む。第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【００７３】
上記の第２の実施シナリオでは、アンカーキャリアの検索範囲内で検索が実行されている場合、任意にフレームにおける最大のＡＲＦＣＮと最小のＡＲＦＣＮとの差が受信端によってサポートされる最大キャリア周波数間隔よりも大きい場合、アンカーキャリアについて実行される検索は終了しない。代わりに、アンカーキャリアの検索範囲内の未検索のキャリアから次のキャリアが更に選択されて計算が行われる。したがって、アンカーキャリアの検索範囲内のキャリアを検索で取得することができる。検索プロセスは第１の実施方式の検索プロセスよりも複雑であるが、単一ユーザーシナリオでは、得られるキャリア選択性能は、上記の第１の実施方式での性能よりも望ましい。
【００７４】
任意に、第３の実施シナリオでは、受信端に多重チャネルが構成される場合、ステップ２０３において、Ｎ個のキャリアのアンカーキャリアのキャリアセットから、少なくとも１つのキャリアセットをキャリア選択結果として選択するステップは、具体的には、
アンカーキャリアのキャリアセットから、１個のキャリアセットを多重チャネルの第１のチャネルのキャリア選択結果として選択するステップ、
を含んでよい。
【００７５】
ステップ２０３の後、本方法は更に、
第１のチャネルのキャリア選択結果に含まれるキャリアをＮ個のキャリアから除くことによって、Ｍ個のキャリアを取得するステップと、
Ｍ個のキャリアから、異なるキャリアをアンカーキャリアとしてそれぞれ選択し、Ｍ個のキャリアにおけるアンカーキャリアの第１の検索範囲を決定し、無線ブロックの各フレームにおけるＭ個のキャリアのＡＲＦＣＮと、受信端によってサポートされる最大キャリア周波数間隔とに従って、アンカーキャリアの第１の検索範囲内で検索を行い、アンカーキャリアの第１のキャリアセットを決定するステップと、
Ｍ個のキャリアのアンカーキャリアの第１のキャリアセットから、１個のキャリアセットを多重チャネルのうち第２のチャネルのキャリア選択結果として選択するステップと、
を含む。
【００７６】
具体的には、多重チャネルが構成された受信端では、受信端が多重チャネルを用いて１つの周波数帯域で非連続受信を実行する場合、ステップ２０２に従って、該周波数帯域で１回の検索が実行される。受信チャネルの数と同じ数のキャリアセットが選択されるか、或いは、受信チャネルの数に従って複数回の検索が実行される。
【００７７】
例えば、図３Ｂを参照すると、受信端はデュアルチャネルを構成され、１個の周波数帯域で非連続受信を実行し（図中、ＧＳＭ９００周波数帯域を例に用いる）、これはintra-band  non-contiguous receptionとも呼ばれる。以下のキャリア選択方法を採用することができる。
【００７８】
複数回の検索が実行され、各検索後に得られるアンカーキャリアのキャリアセットから、１個のキャリアセットが多重チャネルの１個のチャネルのキャリア選択結果として選択される。
【００７９】
具体的には、１回目の検索の終了後、キャリア選択結果は、２回目のキャリア検索の初期のキャリアセットから排除される。
【００８０】
例えば、割り当てられるキャリアＩＤが１〜６であり、１回目の検索の対象となるキャリアが全てのキャリアすなわちキャリア１〜キャリア６である場合、１回目の検索の検索結果は｛キャリア１、キャリア２｝であり、これが第１の受信チャネルのキャリア選択結果として用いられる。２回目の検索では、割り当てられるキャリアセットからキャリア１及びキャリア２を排除し、キャリア３〜キャリア６のみに対して検索を実行する。２回目の検索の検索結果は、第２の受信チャネルのキャリア選択結果として用いられる。
【００８１】
以下、いくつかの具体的な実施形態を用いて、図２に示される方法実施形態を詳細に説明する。
【００８２】
実施形態１
図４を参照する。図４は、本発明の実施形態に係る、別のマルチキャリアのキャリア選択方法を示す。本方法は、以下のステップを含んでよい。
【００８３】
４０１．割当てメッセージで搬送されるＮ個のキャリアのうち任意のキャリアの周波数パラメータに従って、該任意のキャリアの無線ブロックの各フレームにおけるＡＲＦＣＮを計算する。周波数パラメータは、ＭＡ、ＨＳＮ及びＭＡＩＯを含む。
【００８４】
例えば、ネットワークが端末に割り当てるＭＡは｛１、１０、１９、２８、３７、４６、５５、６４、７３、８２｝であり、ＡＲＦＣＮ間の間隔は９であり、ネットワークが端末に割り当てるＨＳＮは１０であり、キャリア（ＭＡＩＯによって示される）セットは｛０、２、３、４、６、７｝であり、受信端によってサポートされる最大キャリア周波数間隔は２５である。全てのキャリアが付番される。留意すべきこととして、キャリアＩＤとＭＡＩＯ値の間には強い関連はなく、すなわち、任意のＭＡＩＯ値に対応するキャリアがキャリア１として付番されてよい。これは、別のキャリアＩＤとＭＡＩＯとの対応でも同様である。説明を簡潔にするために、ＭＡＩＯが順に０、２、３、４、６、７と付番されるキャリアを、ここではキャリア１、キャリア２、キャリア３、キャリア４、キャリア５、キャリア６と付番する。
【００８５】
無線ブロックの各フレームにおける全てのキャリアの計算されたＡＲＦＣＮを表１に示す。
【００８６】
【表１】
2016532376.tif 000003
４０２．所定の第１の方向に従って、Ｎ個のキャリアから、所定の第１の方向での第１のキャリアを第１のアンカーキャリアとして選択する。
【００８７】
本実施形態では、アンカーキャリアの選択は、図２に示される方法実施形態の方式２で実行される。すなわち、所定の第１の方向に従って、Ｎ個（Ｎ＝６）のキャリアの全てのキャリアが順にアンカーキャリアとして用いられる。所定の第１の方向は、
Ｎ個（Ｎ＝６）のキャリアのキャリアＩＤの昇順方向、すなわち、キャリア１→キャリア２→キャリア３→キャリア４→キャリア５→キャリア６の方向、又は、
Ｎ個（Ｎ＝６）のキャリアのキャリアＩＤの降順方向、すなわち、キャリア６→キャリア５→キャリア４→キャリア３→キャリア２→キャリア１の方向、又は、
無線ブロックの任意のフレームにおけるＮ個（Ｎ＝６）のキャリアのＡＲＦＣＮの昇順方向（６個のキャリアが第１のフレーム（表１を参照、ＦＮ＝１）に含まれる場合を例として説明する。表１を参照すると分かるように、第１のフレームにおける６個のキャリアのＡＲＦＣＮの昇順方向は、キャリア１→キャリア２→キャリア３→キャリア４→キャリア５→キャリア６の方向であり、本実施形態では１個のＭＡしか存在しないので、キャリアＩＤの昇順方向は、無線ブロックの任意のフレームにおける６個のキャリアのＡＲＦＣＮの昇順方向と一致し得る）、又は、
無線ブロックの任意のフレームにおけるＮ個（Ｎ＝６）のキャリアのＡＲＦＣＮの降順方向（６個のキャリアが第１のフレーム（表１を参照、ＦＮ＝１）に含まれる場合を例として説明する。表１を参照すると分かるように、第１のフレームにおける６個のキャリアのＡＲＦＣＮの降順方向は、キャリア６→キャリア５→キャリア４→キャリア３→キャリア２→キャリア１の方向であり、本実施形態では１個のＭＡしか存在しないので、キャリアＩＤの昇順方向は、無線ブロックの任意のフレームにおける６個のキャリアのＡＲＦＣＮの昇順方向と一致し得る）、
を含んでよい。
【００８８】
本実施形態では、所定の第１の方向は、具体的には、Ｎ個（Ｎ＝６）のキャリアのキャリアＩＤの昇順方向である。すなわち、キャリア１、キャリア２、キャリア３、キャリア４、キャリア５及びキャリア６が別々に順にアンカーキャリアとして用いられる。
【００８９】
本実施形態では、キャリア１が最初にアンカーキャリアとして選択される。
【００９０】
４０３．所定の検索方向に従って、アンカーキャリアの検索範囲内の未検索のキャリアから第１のキャリアを選択する。
【００９１】
アンカーキャリアの検索範囲は、Ｎ個のキャリアのうち所定の第１の方向においてアンカーキャリアに隣接する次のキャリアから、Ｎ個のキャリアのうち所定の第１の方向の最後のキャリアまでであってよい。
【００９２】
例えば、キャリア１をアンカーキャリアとして検索に用いる場合、キャリア１に対応する検索範囲は、キャリア２、キャリア３、キャリア４、キャリア５及びキャリア６を含む。キャリア２をアンカーキャリアとして検索に用いる場合、キャリア２に対応する検索範囲は、キャリア３、キャリア４、キャリア５及びキャリア６を含む。キャリア３をアンカーキャリアとして検索に用いる場合、キャリア３に対応する検索範囲は、キャリア４、キャリア５及びキャリア６を含む。別のアンカーキャリアの検索範囲はアナログで取得される。
【００９３】
アンカーキャリアの検索範囲は、Ｎ個のキャリアのうちアンカーキャリアを除く全てのキャリアであってもよい。
【００９４】
例えば、キャリア１をアンカーキャリアとして検索に用いる場合、キャリア１に対応する検索範囲は、キャリア２、キャリア３、キャリア４、キャリア５及びキャリア６を含む。キャリア２をアンカーキャリアとして検索に用いる場合、キャリア２に対応する検索範囲は、キャリア３、キャリア４、キャリア５、キャリア６及びキャリア１を含む。キャリア３をアンカーキャリアとして検索に用いる場合、キャリア３に対応する検索範囲は、キャリア４、キャリア５、キャリア６、キャリア１及びキャリア２を含む。別のアンカーキャリアの検索範囲はアナログで取得される。
【００９５】
任意に、所定の検索方向は以下のうちいずれか１つであってよい。
【００９６】
ａ．アンカーキャリアの検索範囲内の全てのキャリアのキャリアＩＤの昇順方向：表１に示される６個のキャリアを例として説明する。例えば、キャリア３に対応する検索範囲がキャリア４、キャリア５及びキャリア６を含む場合、キャリア３に対応する検索範囲内で検索が実行されているとき、所定の検索方向はキャリア４→キャリア５→キャリア６の方向である。キャリア４に対応する検索範囲がキャリア５、キャリア６、キャリア１、キャリア２及びキャリア３を含む場合、キャリア４に対応する検索範囲内で検索が実行されているとき、所定の検索範囲はキャリア５→キャリア６の方向である。
【００９７】
ｂ．アンカーキャリアの検索範囲内の全てのキャリアのキャリアＩＤの降順方向：表１に示される６個のキャリアを例として説明する。例えば、キャリア３に対応する検索範囲がキャリア２及びキャリア１を含む場合、キャリア３に対応する検索範囲内で検索が実行されているとき、所定の検索方向はキャリア２→キャリア１の方向である。キャリア４に対応する検索範囲がキャリア３、キャリア２、キャリア１、キャリア６及びキャリア５を含む場合、キャリア４に対応する検索範囲内で検索が実行されているとき、所定の検索範囲はキャリア３→キャリア２→キャリア１の方向である。
【００９８】
ｃ．アンカーキャリアの検索範囲内の全てのキャリアの無線ブロックの任意のフレームにおけるＡＲＦＣＮの昇順方向：原理及び実施方式が方式ａと類似するので、ここでは詳細の説明を省略する。
【００９９】
ｄ．アンカーキャリアの検索範囲内の全てのキャリアの無線ブロックの任意のフレームにおけるＡＲＦＣＮの降順方向：原理及び実施方式が方式ｂと類似するので、ここでは詳細の説明を省略する。
【０１００】
ｅ．アンカーキャリアがＮ個のキャリアのうちｉ番目のキャリアであり、且つ、アンカーキャリアの検索範囲がｉ番目のキャリアを除くＮ個のキャリアの全てのキャリアを含む場合、アンカーキャリアの検索範囲内で、最初にＮ個のキャリアの（ｉ＋１）番目のキャリアからＮ個のキャリアのＮ番目のキャリアに向かい、それからＮ個のキャリアの１番目のキャリアからＮ個のキャリアの（ｉ−１）番目のキャリアに向かう方向。ｉは正の整数であり、且つ１＜ｉ＜Ｎである。
【０１０１】
例えば、キャリア２をアンカーキャリアとして検索に用い、且つキャリア２に対応する検索範囲がキャリア３、キャリア４、キャリア５、キャリア６及びキャリア１を含む場合、所定の検索方向はキャリア３→キャリア４→キャリア５→キャリア６→キャリア１である。
【０１０２】
ｉ番目のキャリアは、具体的には、キャリアＩＤでソートした後のｉ番目のキャリアであってよく、或いはＡＲＦＣＮでソートした後のｉ番目のキャリアであってよい。
【０１０３】
本実施形態では、具体的には、アンカーキャリアの検索範囲は、Ｎ個のキャリアのうち所定の第１の方向においてアンカーキャリアに隣接する次のキャリアから、Ｎ個のキャリアのうち所定の第１の方向の最後のキャリアまでである。すなわち、キャリアＩＤの昇順方向に従って、アンカーキャリア（キャリア１）の検索範囲（キャリア２、キャリア３、キャリア４、キャリア５及びキャリア６を含む）内の未検索のキャリアから、第１のキャリアが順に選択される。したがって、最初にキャリア２が第１のキャリアとして選択される。
【０１０４】
４０４．第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算する。
【０１０５】
上記の第１のセットは、少なくともアンカーキャリアを含む。第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【０１０６】
初期状態では、アンカーキャリア（キャリア１）の第１のセットはアンカーキャリア（キャリア１）のみを含み、計算結果は表２に示されるものであってよい。
【０１０７】
【表２】
2016532376.tif 000004
“ＡＮＣＨＯＲ”はアンカーキャリアを示し、“ＭＩＮ”はＦＮに対応する最小のＡＲＦＣＮを示し、“ＭＡＸ”はＦＮに対応する最大のＡＲＦＣＮを示し、“ＤＥＬＴＡ”はＦＮに対応する最大のＡＲＦＣＮと最小のＡＲＦＣＮとの差を示す。
【０１０８】
留意すべきこととして、アンカーキャリアの第１のセットにアンカーキャリアしかない状況では、単一キャリアで受信帯域幅の要件を満たすことができるので、実際には計算は不要である。ここで、表２は、本発明の実施原理をより明確に説明するために用いられるに過ぎない。
【０１０９】
そして、第１のキャリア（この状況ではキャリア２）とアンカーキャリアの第１のセット（この状況では｛キャリア１｝）の全てのキャリアの無線ブロックの各フレームにおけるＡＲＦＣＮのうち、最大のＡＲＦＣＮと最小のＡＲＦＣＮとの差が計算される。計算結果は表３に示される。
【０１１０】
【表３】
2016532376.tif 000005
４０５．無線ブロックの各フレームにおける最大のＡＲＦＣＮと最小のＡＲＦＣＮとの差が受信端がサポート可能な最大キャリア周波数間隔よりも大きくないか否かを判定する。無線ブロックの各フレームにおける最大のＡＲＦＣＮと最小のＡＲＦＣＮとの差が受信端によってサポートされる最大キャリア周波数間隔よりも大きくないと判定された場合、ステップ４０６を実行する。又は、無線ブロックの各フレームにおける最大のＡＲＦＣＮと最小のＡＲＦＣＮとの差が受信端によってサポートされる最大キャリア周波数間隔よりも大きいと判定された場合、ステップ４０７を実行する。
【０１１１】
例えば、ステップ４０４の計算結果に従って、第１のキャリアがキャリア２であり、且つアンカーキャリアの第１のセットがキャリア１のみを含む場合、４個のフレームの各フレームにおけるＡＲＦＣＮのうち最大のＡＲＦＣＮと最小のＡＲＦＣＮとの差は１８であり、受信端の帯域幅２５よりも小さいので、ステップ４０６が実行される。
【０１１２】
４０６．第１のキャリアをアンカーキャリアの第１のセットに追加し、ステップ４０３〜ステップ４０５を繰り返す。
【０１１３】
第１のキャリア（キャリア２）がアンカーキャリアの第１のセットに追加され、この場合、アンカーキャリアの第１のセットは｛キャリア１、キャリア２｝である。第１のキャリアとしてキャリア３が更に選択され、キャリア３とアンカーキャリアの第１のセット｛キャリア１、キャリア２｝の全てのキャリアの無線ブロックの各フレームにおけるＡＲＦＣＮのうち最大のＡＲＦＣＮと最小のＡＲＦＣＮとの差が計算される。計算結果は表４に示される。
【０１１４】
【表４】
2016532376.tif 000006
例えば、第１のキャリアがキャリア３であり、且つアンカーキャリアの第１のセットが｛キャリア１、キャリア２｝である場合、４個のフレームの各フレームにおけるＡＲＦＣＮのうち最大のＡＲＦＣＮと最小のＡＲＦＣＮとの差は２７であり、受信端の帯域幅２５よりも大きいので、ステップ４０７が実行される。
【０１１５】
４０７．アンカーキャリアの検索範囲内の検索を終了し、アンカーキャリアの第１のセットをアンカーキャリアのキャリアセットとして用いる。
【０１１６】
ステップ４０６によれば、第１のキャリアがキャリア３であるとき、４個のフレームの各フレームにおけるＡＲＦＣＮのうち最大のＡＲＦＣＮと最小のＡＲＦＣＮとの差が受信端の帯域幅２５よりも大きい。したがって、アンカーキャリア（キャリア１）の検索範囲内での検索を終了し、アンカーキャリアの第１のセットをアンカーキャリアのキャリアセットとして用いて、アンカーキャリア１に対応するキャリアセット｛キャリア１、キャリア２｝を取得する。
【０１１７】
４０８．所定の第１の方向においてアンカーキャリアに隣接しアンカーキャリアの前に位置するキャリアを、次のアンカーキャリアとして選択する。
【０１１８】
例えば、現在のアンカーキャリアがキャリア１である場合、キャリア２が次のアンカーキャリアとして用いられる。
【０１１９】
４０９．ステップ４０３〜ステップ４０８を繰り返して、次のアンカーキャリアのキャリアセットを決定する。
【０１２０】
例えば、ステップ４０３〜ステップ４０８によれば、キャリア２がアンカーキャリアであるときのアンカーキャリアのキャリアセットは｛キャリア２、キャリア３、キャリア４｝であり、キャリア６がアンカーキャリアであるときのアンカーキャリアのキャリアセットは｛キャリア６｝であることが分かる。
【０１２１】
４１０．Ｎ個のキャリアの中に、所定の第１の方向においてアンカーキャリアに隣接しアンカーキャリアの前に位置するキャリアが存在するか否かを判定する。Ｎ個のキャリアの中に、所定の第１の方向においてアンカーキャリアに隣接しアンカーキャリアの前に位置するキャリアが存在する場合、ステップ４１１を実行する。、又は、Ｎ個のキャリアの中に、所定の第１の方向においてアンカーキャリアに隣接しアンカーキャリアの前に位置するキャリアが存在しない場合、ステップ４１２を実行する。
【０１２２】
４１１．ステップ４０８〜ステップ４１０を繰り返して、各アンカーキャリアのキャリアセットを決定する。
【０１２３】
４１２．Ｎ個のキャリアのアンカーキャリアのキャリアセットから、少なくとも１つのキャリアセットをキャリア選択結果として選択する。
【０１２４】
キャリア選択結果として、最大数のキャリアを含むキャリアセットが選択されてよい。ステップ４０９の結果によれば、最終的なキャリア選択結果は｛キャリア２、キャリア３、キャリア４｝である。
【０１２５】
本発明の本実施形態は、マルチキャリアのキャリア選択方法を提供する。異なるキャリアがアンカーキャリアとして選択され、無線ブロックの各フレームにおける各キャリアのＡＲＦＣＮと、受信端によってサポートされる最大キャリア周波数間隔とに従って、全てのアンカーキャリアのキャリアセットが順に決定され、全てのアンカーキャリアのキャリアセットから１以上のキャリアセットがキャリア選択結果として選択される。よって、複雑性が比較的低い方法を用いた検索により、最適なキャリアの組合わせの取得が実現され、総当たり方法の複雑性が非常に高いという従来技術の欠点が克服される。
【０１２６】
実施形態２
図５を参照する。図５は、本発明の実施形態に係る、別のマルチキャリアのキャリア選択方法を示す。本方法は、以下のステップを含んでよい。
【０１２７】
５０１．割当てメッセージで搬送されるＮ個のキャリアのうち任意のキャリアの周波数パラメータに従って、該任意のキャリアの無線ブロックの各フレームにおけるＡＲＦＣＮを計算する。周波数パラメータは、ＭＡ、ＨＳＮ及びＭＡＩＯを含む。
【０１２８】
本実施形態の例示的なパラメータは実施形態１と同じである。
【０１２９】
５０２．所定の第１の方向での第１のキャリアをアンカーキャリアとして選択する。
【０１３０】
例えば、所定の第１の方向がＮ個（Ｎ＝６）のキャリアのキャリアＩＤの昇順方向である場合、すなわち、キャリア１→キャリア２→キャリア３→キャリア４→キャリア５→キャリア６の方向である場合、キャリア１がアンカーキャリアとして選択される。
【０１３１】
５０３．所定の検索方向に従って、アンカーキャリアの検索範囲内の未検索のキャリアから第１のキャリアを選択する。
【０１３２】
アンカーキャリアの検索範囲については、ステップ４０２における関連の説明を参照されたい。
【０１３３】
本実施形態での所定の検索方向が実施形態１での方向である場合、第１のキャリアは、キャリアＩＤの昇順方向に従って、アンカーキャリア（キャリア１）の検索範囲（キャリア２、キャリア３、キャリア４、キャリア５及びキャリア６を含む）内の未検索のキャリアから、順に選択される。したがって、最初にキャリア２が第１のキャリアとして選択される。
【０１３４】
５０４．第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算する。
【０１３５】
最初に、初期状態においてアンカーキャリア（キャリア１）の第１のセットがキャリア１を含む場合、計算結果は実施形態１と同じであり、表２に示すことができる。そして、第１のキャリア（この状況ではキャリア２）とアンカーキャリアの第１のセット（この状況では｛キャリア１｝）の無線ブロックの各フレームにおけるＡＲＦＣＮのうち最大のＡＲＦＣＮと最小のＡＲＦＣＮとの差が計算される。計算結果は表３に示される。
【０１３６】
５０５．無線ブロックの各フレームにおける最大のＡＲＦＣＮと最小のＡＲＦＣＮとの差が受信端がサポート可能な最大キャリア周波数間隔よりも大きくないか否かが判定される。無線ブロックの各フレームにおける最大のＡＲＦＣＮと最小のＡＲＦＣＮとの差が受信端によってサポートされる最大キャリア周波数間隔よりも大きくないと判定された場合、ステップ５０６を実行する。又は、無線ブロックの各フレームにおける最大のＡＲＦＣＮと最小のＡＲＦＣＮとの差が受信端によってサポートされる最大キャリア周波数間隔よりも大きいと判定された場合、ステップ５０７を実行する。
【０１３７】
例えば、ステップ５０４の計算結果に従って、第１のキャリアがキャリア２であり、且つアンカーキャリアの第１のセットがキャリア１のみを含む場合、４個のフレームの各フレームにおけるＡＲＦＣＮのうち最大のＡＲＦＣＮと最小のＡＲＦＣＮとの差は１８であり、受信端の帯域幅２５よりも小さい。
【０１３８】
５０６．第１のキャリアをアンカーキャリアの第１のセットに追加し、ステップ５０３〜ステップ５０５を繰り返す。
【０１３９】
ステップ５０５によれば、第１のキャリアがキャリア２であるとき、４個のフレームの各フレームにおけるＡＲＦＣＮのうち最大のＡＲＦＣＮと最小のＡＲＦＣＮとの差は受信端の帯域幅２５よりも小さい。したがって、第１のキャリア（キャリア２）がアンカーキャリアの第１のセットに追加され、この場合、アンカーキャリアの第１のセットは｛キャリア１、キャリア２｝である。
【０１４０】
更にキャリア３が第１のキャリアとして選択され、キャリア３とアンカーキャリアの第１のセット｛キャリア１、キャリア２｝の全てのキャリアの無線ブロックの各フレームにおけるＡＲＦＣＮのうち最大のＡＲＦＣＮと最小のＡＲＦＣＮとの差が計算される。計算結果は表４に示される。
【０１４１】
５０７．アンカーキャリアの検索範囲内の検索を終了し、アンカーキャリアの第１のセットをアンカーキャリアのキャリアセットとして用いる。
【０１４２】
本実施形態では、ステップ５０６の計算結果に従って、第１のキャリアがキャリア３であるとき、４個のフレームの各フレームにおけるＡＲＦＣＮのうち最大のＡＲＦＣＮと最小のＡＲＦＣＮとの差が受信端の帯域幅２５よりも大きい。したがって、アンカーキャリア（キャリア１）の検索範囲内での検索を終了し、アンカーキャリアの第１のセットをアンカーキャリアのキャリアセットとして用いて、アンカーキャリア１のキャリアセット｛キャリア１、キャリア２｝を取得する。
【０１４３】
５０８．Ｎ個のキャリアのうち、アンカーキャリアのキャリアセットの中で所定の第１の方向の最前方に位置するキャリアに隣接し、且つ所定の第１の方向においてアンカーキャリアの前に位置するキャリアを、次のアンカーキャリアとして決定する。
【０１４４】
ステップ５０７によれば、所定の第１の方向は、キャリア１→キャリア２→キャリア３→キャリア４→キャリア５→キャリア６の方向である。したがって、アンカーキャリア１のキャリアセット｛キャリア１、キャリア２｝において所定の第１の方向の最前方に位置するキャリアは、キャリア２である。所定の第１の方向においてキャリア２に隣接する次のキャリアはキャリア３であり、キャリア３は、所定の第１の方向においてアンカーキャリア（キャリア１）の前に位置する。したがって、キャリア３が次のアンカーキャリアとして用いられる。
【０１４５】
５０９．ステップ５０３〜ステップ５０８を繰り返して、次のアンカーキャリアのキャリアセットを決定する。
【０１４６】
実施形態１で提供されたパラメータを例に用いる。本実施形態におけるアンカーキャリアの選択方式によれば、アンカーキャリアとして最終的に選択されるキャリアは、キャリア１、キャリア３、キャリア５及びキャリア６を含む。ステップ５０３〜ステップ５０８を実行することにより、キャリア１がアンカーキャリアであるときに最終的に得られるアンカーキャリアのキャリアセットは｛キャリア１、キャリア２｝であり、キャリア３がアンカーキャリアであるときに最終的に得られるアンカーキャリアのキャリアセットは｛キャリア３、キャリア４｝であり、キャリア５がアンカーキャリアであるときに最終的に得られるアンカーキャリアのキャリアセットは｛キャリア５、キャリア６｝であり、キャリア６がアンカーキャリアであるときに最終的に得られるアンカーキャリアのキャリアセットは｛キャリア６｝である。
【０１４７】
５１０．Ｎ個のキャリアの中に、アンカーキャリアのキャリアセットの中で所定の第１の方向の最前方に位置するキャリアに隣接し、且つ所定の第１の方向においてアンカーキャリアの前に位置するキャリアが存在するか否かを判定する。Ｎ個のキャリアの中に、アンカーキャリアのキャリアセットの中で所定の第１の方向の最前方に位置するキャリアに隣接し、且つ所定の第１の方向においてアンカーキャリアの前に位置するキャリアが存在すると判定された場合、ステップ５１１を実行する。又は、Ｎ個のキャリアの中に、アンカーキャリアのキャリアセットの中で所定の第１の方向の最前方に位置するキャリアに隣接し、且つ所定の第１の方向においてアンカーキャリアの前に位置するキャリアが存在しないと判定された場合、ステップ５１２を実行する。
【０１４８】
５１１．ステップ５０８〜ステップ５１０を繰り返して、各アンカーキャリアのキャリアセットを決定する。
【０１４９】
５１２．Ｎ個のキャリアのアンカーキャリアのキャリアセットから、少なくとも１つのキャリアセットをキャリア選択結果として選択する。
【０１５０】
ステップ５０９から分かるように、本実施形態では、各キャリアは１個のアンカーキャリアのキャリアセットに分類され、全てのアンカーキャリアのキャリアセットは同じキャリアを含まない。４個のアンカーキャリアのキャリアセットは、それぞれ｛キャリア１、キャリア２｝、｛キャリア３、キャリア４｝、｛キャリア５｝、｛キャリア６｝である。第１のキャリアセット｛キャリア１、キャリア２｝に含まれるキャリアの数は、第２のキャリアセット｛キャリア３、キャリア４｝に含まれるキャリアの数と同じである。したがって、この場合、選択方法を予め定めることができる。例えば、最初に出現し最大数のキャリアを含むキャリアセットがキャリア選択結果として選択される場合、最終的なキャリアセット選択結果は第１のキャリアセット｛キャリア１、キャリア２｝である。当然ながら、同じ数のキャリアを含むキャリアセットについては、別の選択方式で選択を行うこともできる。例えば、キャリアシーケンス番号の和が比較的小さいキャリアセットが選択される。
【０１５１】
キャリア選択結果｛キャリア１、キャリア２｝を実施形態１の選択結果｛キャリア２、キャリア３、キャリア４｝と比較すると、性能は下がるが、検索の複雑性が低減される。
【０１５２】
本発明の本実施形態は、マルチキャリアのキャリア選択方法を提供する。異なるキャリアがアンカーキャリアとして選択され、無線ブロックの各フレームにおける各キャリアのＡＲＦＣＮと、受信端によってサポートされる最大キャリア周波数間隔とに従って、全てのアンカーキャリアに対応するキャリアセットが順に検索され、所定の方針に従って１以上のキャリアセットがキャリア選択結果として選択される。よって、複雑性が比較的低い方法を用いた検索により、最適なキャリアの組合わせの取得が実現され、総当たり方法の複雑性が非常に高いという従来技術の欠点が克服される。
【０１５３】
実施形態３
図６を参照する。図６は、本発明の実施形態に係る、別のマルチキャリアのキャリア選択方法を示す。本方法は、以下のステップを含んでよい。
【０１５４】
６０１．割当てメッセージで搬送されるＮ個のキャリアのうち任意のキャリアの周波数パラメータに従って、該任意のキャリアの無線ブロックの各フレームにおけるＡＲＦＣＮを計算する。周波数パラメータは、ＭＡ、ＨＳＮ及びＭＡＩＯを含む。
【０１５５】
本実施形態の例示的なパラメータは実施形態１と同じである。本実施形態のパラメータは全て実施形態１と同じであり、無線ブロックの各フレームにおける６個のキャリアのＡＲＦＣＮは表１に示される。
【０１５６】
６０２．第１のアンカーキャリアを選択する。
【０１５７】
第１のアンカーキャリアはＮ個のキャリアのうちいずれか１個であってよく、本発明の本実施形態では限定されない。例えば、本実施形態では、キャリア２が第１のアンカーキャリアとして選択される。
【０１５８】
６０３．アンカーキャリアの検索範囲内で第１のキャリアを選択する。第１のキャリアは、アンカーキャリアの検索範囲内の未検索の任意のキャリアである。
【０１５９】
本実施形態では、アンカーキャリアの検索範囲は、アンカーキャリア以外の全てのキャリアである。例えば、キャリア２をアンカーキャリアとして検索に用いる場合、キャリア２に対応する検索範囲は、キャリア３、キャリア４、キャリア５、キャリア６及びキャリア１を含む。
【０１６０】
第１のキャリアは、未検索の任意のキャリアである。例えば、初期状態では、キャリア２に対応する検索範囲内のキャリア３、キャリア４、キャリア５、キャリア６及びキャリア１が、全ての未検索のキャリアである。したがって、キャリア３、キャリア４、キャリア５、キャリア６及びキャリア１は全て第１のキャリアとして用いられてよい。本実施形態では、キャリア４が最初に選択される場合を例として説明する。
【０１６１】
６０４．第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算する。
【０１６２】
初期状態では、アンカーキャリア（キャリア２）の第１のセットはアンカーキャリア（キャリア２）のみを含む。計算結果は表５に示すことができる。
【０１６３】
【表５】
2016532376.tif 000007
そして、第１のキャリア（この状況ではキャリア４）とアンカーキャリアの第１のセット（この状況では｛キャリア２｝）の全てのキャリアの無線ブロックの各フレームにおけるＡＲＦＣＮのうち最大のＡＲＦＣＮと最小のＡＲＦＣＮとの差が計算される。計算結果は表６に示される。
【０１６４】
【表６】
2016532376.tif 000008
６０５．無線ブロックの各フレームにおける最大のＡＲＦＣＮと最小のＡＲＦＣＮとの差が受信端がサポート可能な最大キャリア周波数間隔よりも大きくないか否かを判定する。無線ブロックの各フレームにおける最大のＡＲＦＣＮと最小のＡＲＦＣＮとの差が受信端によってサポートされる最大キャリア周波数間隔よりも大きくないと判定された場合、ステップ６０６を実行する。又は、無線ブロックの各フレームにおける最大のＡＲＦＣＮと最小のＡＲＦＣＮとの差が受信端によってサポートされる最大キャリア周波数間隔よりも大きいと判定された場合、ステップ６０７を実行する。
【０１６５】
例えば、ステップ６０４の計算結果に従って、第１のキャリアがキャリア４であり、且つアンカーキャリアの第１のセットがキャリア２のみを含む場合、４個のフレームの各フレームにおけるＡＲＦＣＮのうち最大のＡＲＦＣＮと最小のＡＲＦＣＮとの差は１８であり、受信端の帯域幅２５よりも小さい。
【０１６６】
６０６．第１のキャリアをアンカーキャリアの第１のセットに追加し、ステップ６０７を実行する。
【０１６７】
ステップ６０５によれば、第１のキャリアがキャリア４のとき、４個のフレームの各フレームにおけるＡＲＦＣＮのうち最大のＡＲＦＣＮと最小のＡＲＦＣＮとの差は受信端の帯域幅２５よりも小さい。したがって、第１のキャリア（キャリア４）がアンカーキャリア（キャリア２）の第１のセットに追加され、この場合、アンカーキャリアの第１のセットは｛キャリア２、キャリア４｝である。
【０１６８】
６０７．アンカーキャリアの検索範囲内に未検索のキャリアが存在するか否かを判定する。アンカーキャリアの検索範囲内に未検索のキャリアが存在すると判定された場合、ステップ６０３〜ステップ６０７を繰り返す。又は、アンカーキャリアの検索範囲内に未検索のキャリアが存在しないと判定された場合、ステップ６０８を実行する。
【０１６９】
第１のキャリアがアンカーキャリアの第１のセットに追加された後、又は、ステップ６０５の判定が、無線ブロックの各フレームにおける最大のＡＲＦＣＮと最小のＡＲＦＣＮとの差が受信端によってサポートされる最大キャリア周波数間隔よりも大きいという結果であった場合、アンカーキャリアの検索範囲内に未検索のキャリアが存在するか否かが判定される。
【０１７０】
具体的には、アンカーキャリアの検索範囲内に未検索のキャリアが存在する場合、更に第１のキャリアが選択される。キャリア４が検索されたので、アンカーキャリア（キャリア２）の検索範囲内の未検索のキャリアは、キャリア３、キャリア５、キャリア６及びキャリア１である。同様に、キャリア３、キャリア５、キャリア６及びキャリア１のうちいずれか１つが、第１のキャリアとして選択されてよい。本実施形態では、キャリア５が選択される場合を例として説明する。
【０１７１】
キャリア５とアンカーキャリアの第１のセット｛キャリア２、キャリア４｝の全てのキャリアの無線ブロックの各フレームにおけるＡＲＦＣＮにおける最大のＡＲＦＣＮと最小のＡＲＦＣＮとの差が計算される。計算結果は表７に示される。
【０１７２】
【表７】
2016532376.tif 000009
表７によれば、第１のキャリアがキャリア５であるとき、４個のフレームの各フレームにおけるＡＲＦＣＮのうち最大のＡＲＦＣＮと最小のＡＲＦＣＮとの差は、受信端の帯域幅２５よりも大きい。したがって、アンカーキャリアの検索範囲内に第１のキャリアが存在するか否かが判定される。
【０１７３】
アンカーキャリア（キャリア２）に対応する検索範囲内では、キャリア３及びキャリア５のみが検索されたので、キャリア４、キャリア６及びキャリア１が未検索である、したがって、アンカーキャリア（キャリア２）の検索範囲内に第１のキャリアが存在すると判定される。更にステップ６０３〜ステップ６０８が繰り返される。すなわち、キャリア４、キャリア６及びキャリア１のうちいずれか１つが第１のキャリアとして選択され、アンカーキャリア（キャリア２）の検索範囲内で各キャリアに１回の検索が実行されるまで、ステップ６０３〜ステップ６０８が繰り返される。
【０１７４】
６０８．第１のセットをアンカーキャリアのキャリアセットとして用いて、次のアンカーキャリアを選択する。
【０１７５】
アンカーキャリア（キャリア２）の検索範囲内に第１のキャリアが存在しない場合、アンカーキャリア（キャリア２）の検索範囲内の全てのキャリアが検索されたことを示す。現在のアンカーキャリア（キャリア２）の検索範囲内の検索を終了し、現在のアンカーキャリア（キャリア２）のキャリアセット、すなわち｛キャリア２、キャリア３、キャリア４｝が得られる。
【０１７６】
本実施形態では、次のアンカーキャリアは、アンカーキャリアとして未選択のキャリアのうちいずれか１つであってよい。本実施形態では、アンカーキャリアは順に選択されなくてよく、代わりに、各アンカーキャリアが１回選択されればどのような方式で選択されてもよい。
【０１７７】
６０９．ステップ６０３〜ステップ６０９を繰り返して、次のアンカーキャリアのキャリアセットを決定する。
【０１７８】
実施形態１で提供されるパラメータを例に用いる。キャリア１がアンカーキャリアであるときのアンカーキャリアのキャリアセットが｛キャリア１、キャリア２｝であり、キャリア２がアンカーキャリアであるときのアンカーキャリアのキャリアセットが｛キャリア２、キャリア３、キャリア４｝であり、キャリア３がアンカーキャリアであるときのアンカーキャリアのキャリアセットが｛キャリア３、キャリア４、キャリア２｝であり、キャリア４がアンカーキャリアであるときのアンカーキャリアのキャリアセットが｛キャリア３、キャリア４、キャリア２｝であり、キャリア５がアンカーキャリアであるときのアンカーキャリアのキャリアセットが｛キャリア５、キャリア６｝であり、キャリア６がアンカーキャリアであるときのアンカーキャリアのキャリアセットが｛キャリア５、キャリア６｝であることが分かる。
【０１７９】
６１０．Ｎ個のキャリアの中に、アンカーキャリアとして未選択のキャリアが存在するか否かを判定する。Ｎ個のキャリアの中に、アンカーキャリアとして未選択のキャリアが存在すると判定された場合、ステップ６１１を実行する。又は、Ｎ個のキャリアの中に、アンカーキャリアとして未選択のキャリアが存在しないと判定された場合、ステップ６１２を実行する。
【０１８０】
６１１．ステップ６０９〜ステップ６１１を繰り返して、各アンカーキャリアのキャリアセットを決定する。
【０１８１】
６１２．Ｎ個のキャリアのアンカーキャリアのキャリアセットから、少なくとも１つのキャリアセットをキャリア選択結果として選択する。
【０１８２】
ステップ６１０の結果によれば、最大数のキャリアを含むキャリアセットがキャリア選択結果として用いられてよく、そして、最終的なキャリア選択結果は｛キャリア３、キャリア４、キャリア２｝である。
【０１８３】
本発明の本実施形態は、マルチキャリアのキャリア選択方法を提供する。異なるキャリアがアンカーキャリアとして選択され、無線ブロックの各フレームにおける各キャリアのＡＲＦＣＮと、受信端によってサポートされる最大キャリア周波数間隔とに従って、全てのアンカーキャリアに対応するキャリアセットが順に検索され、所定の方針に従って１以上のキャリアセットがキャリア選択結果として選択される。複雑性が比較的低い方法を用いた検索により、最適なキャリアの組合わせの取得が実現され、総当たり方法の複雑性が非常に高いという従来技術の欠点が克服される。
【０１８４】
実施形態４
図７を参照する。図７は、本発明の実施形態に係る、別のマルチキャリアのキャリア選択方法を示す。本実施形態の原理は、実施形態１、実施形態２及び実施形態３と同じである。詳細は以下のとおりである。
【０１８５】
７０１．割当てメッセージで搬送されるＮ個のキャリアのうち任意のキャリアの周波数パラメータに従って、該任意のキャリアの無線ブロックの各フレームにおけるＡＲＦＣＮを計算する。周波数パラメータは、ＭＡ、ＨＳＮ及びＭＡＩＯを含む。
【０１８６】
本実施形態のパラメータは全て実施形態１と同じであり、無線ブロックの各フレームにおける６個のキャリアのＡＲＦＣＮは表１に示される。
【０１８７】
７０２．所定の第１の方向での第１のキャリアをアンカーキャリアとして選択する。
【０１８８】
所定の第１の方向に関連する説明は、実施形態１における所定の第１の方向に関連する説明と同じである。具体的には、キャリアＩＤの昇順方向であってよく、すなわち、最初にキャリア１がアンカーキャリアとして選択される。
【０１８９】
７０３．アンカーキャリアの検索範囲内で第１のキャリアを選択する。第１のキャリアは未検索のキャリアである。
【０１９０】
本実施形態では、アンカーキャリアの検索範囲は、６個のキャリアのうち所定の第１の方向においてアンカーキャリアに隣接する次のキャリアから、６個のキャリアのうち所定の第１の方向における最後のキャリアまでである。例えば、キャリア２をアンカーキャリアとして検索に用いる場合、キャリア２に対応する検索範囲は、キャリア３、キャリア４、キャリア５及びキャリア６を含む。キャリア３をアンカーキャリアとして検索に用いる場合、キャリア３に対応する検索範囲は、キャリア４、キャリア５及びキャリア６を含む。
【０１９１】
第１のキャリアは、未検索の任意のキャリアである。例えば、初期状態では、キャリア１に対応する検索範囲内のキャリア２、キャリア３、キャリア４、キャリア５及びキャリア６が、全ての未検索のキャリアである。したがって、キャリア２、キャリア３、キャリア４、キャリア５及びキャリア６は全て第１のキャリアとして用いられてよい。本実施形態では、キャリア３が最初に選択される場合を例として説明する。
【０１９２】
７０４．第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算する。
【０１９３】
初期状態では、アンカーキャリア（キャリア１）の第１のセットはアンカーキャリア（キャリア１）のみを含む。計算結果は表２に示すことができる。
【０１９４】
そして、第１のキャリア（この状況ではキャリア３）とアンカーキャリアの第１のセット（この状況では｛キャリア１｝）の全てのキャリアの無線ブロックの各フレームにおけるＡＲＦＣＮのうち最大のＡＲＦＣＮと最小のＡＲＦＣＮとの差が計算される。計算結果は表８に示される。
【０１９５】
【表８】
2016532376.tif 000010
７０５．無線ブロックの各フレームにおける最大のＡＲＦＣＮと最小のＡＲＦＣＮとの差が受信端がサポート可能な最大キャリア周波数間隔よりも大きくないか否かを判定する。無線ブロックの各フレームにおける最大のＡＲＦＣＮと最小のＡＲＦＣＮとの差が受信端によってサポートされる最大キャリア周波数間隔よりも大きくないと判定された場合、ステップ７０６を実行する。又は、無線ブロックの各フレームにおける最大のＡＲＦＣＮと最小のＡＲＦＣＮとの差が受信端によってサポートされる最大キャリア周波数間隔よりも大きいと判定された場合、ステップ７０７を実行する。
【０１９６】
例えば、ステップ７０４の計算結果に従って、第１のキャリアがキャリア３であり、且つアンカーキャリアの第１のセットがキャリア１のみを含む場合、４個のフレームの各フレームにおけるＡＲＦＣＮのうち最大のＡＲＦＣＮと最小のＡＲＦＣＮとの差は２７であり、受信端の帯域幅２５よりも大きい。
【０１９７】
７０６．第１のキャリアをアンカーキャリアの第１のセットに追加する。
【０１９８】
７０７．アンカーキャリアの検索範囲内に未検索のキャリアが存在するか否かを判定する。アンカーキャリアの検索範囲内に未検索のキャリアが存在すると判定された場合、ステップ７０３〜ステップ７０７を繰り返す。又は、アンカーキャリアの検索範囲内に未検索のキャリアが存在しないと判定された場合、ステップ７０８を実行する。
【０１９９】
第１のキャリアがアンカーキャリアの第１のセットに追加された後、又は、ステップ７０５の判定が、無線ブロックの各フレームにおける最大のＡＲＦＣＮと最小のＡＲＦＣＮとの差が受信端によってサポートされる最大キャリア周波数間隔よりも大きいという結果であった場合、アンカーキャリアの検索範囲内に未検索のキャリアが存在するか否かが判定される。
【０２００】
具体的には、アンカーキャリアの検索範囲内の未検索のキャリアが存在する場合、更に第１のキャリアが選択される。キャリア３が検索されたので、アンカーキャリア（キャリア１）の検索範囲内の未検索のキャリアは、キャリア２、キャリア４、キャリア５及びキャリア６である。同様に、キャリア２、キャリア４、キャリア５及びキャリア６のいずれか１つが、第１のキャリアとして選択されてよい。本実施形態では、キャリア２が選択される場合を例として説明する。
【０２０１】
キャリア２とアンカーキャリアの第１のセット｛キャリア１｝の全てのキャリアの無線ブロックの各フレームにおけるＡＲＦＣＮのうち最大のＡＲＦＣＮと最小のＡＲＦＣＮとの差が計算される。計算結果は表３に示される。
【０２０２】
表７によれば、第１のキャリアがキャリア２であるとき、４個のフレームの各フレームにおけるＡＲＦＣＮのうち最大のＡＲＦＣＮと最小のＡＲＦＣＮとの差は、受信端の帯域幅２５よりも小さい。したがって、キャリア２がアンカーキャリアの第１のセットに追加される。
【０２０３】
更に、第１のキャリアが存在するか否かが判定される。アンカーキャリア（キャリア１）に対応する検索範囲内では、キャリア３及びキャリア２のみが検索されたので、キャリア４、キャリア５及びキャリア６が未検索である。したがって、アンカーキャリア（キャリア１）の検索範囲内に第１のキャリアが存在すると判定される。更にステップ７０３〜ステップ８０８が繰り返される。すなわち、キャリア４、キャリア５及びキャリア６のうちいずれか１つが第１のキャリアとして選択され、アンカーキャリア（キャリア１）の検索範囲内で各キャリアに１回の検索が実行されるまで、ステップ７０３〜ステップ７０８が繰り返される。例えば、アンカーキャリア１に対応して取得されるキャリアセットは、｛キャリア１、キャリア２｝である。
【０２０４】
７０８．第１のセットをアンカーキャリアのキャリアセットとして用いて、所定の第１の方向においてアンカーキャリアに隣接しアンカーキャリアの前に位置するキャリアを次のアンカーキャリアとして選択する。
【０２０５】
アンカーキャリアの検索範囲内に第１のキャリアが存在しない場合、アンカーキャリアの検索範囲内の全てのキャリアが検索されたことを示す。現在のアンカーキャリアの検索範囲内の検索を終了し、所定の第１の方向において現在のアンカーキャリアに隣接し現在のアンカーキャリアの前に位置するキャリアが、次のアンカーキャリアとして選択される
例えば、現在のアンカーキャリア（キャリア１）の検索範囲内の検索が終了した場合、キャリア２が次のアンカーキャリアとして選択されるべきである。
【０２０６】
７０９．ステップ７０３〜ステップ７０９を繰り返して、次のアンカーキャリアのキャリアセットを決定する。
【０２０７】
実施形態１で提供されるパラメータを例に用いる。キャリア１がアンカーキャリアであるときのキャリアセットは｛キャリア１、キャリア２｝であり、キャリア２がアンカーキャリアであるときのキャリアセットは｛キャリア２、キャリア３、キャリア４｝であり、キャリア３がアンカーキャリアであるときのキャリアセットは｛キャリア３、キャリア４｝であり、キャリア４がアンカーキャリアであるときのキャリアセットは｛キャリア４｝であり、キャリア５がアンカーキャリアであるときのキャリアセットは｛キャリア５｝であり、キャリア６がアンカーキャリアであるときのキャリアセットは｛キャリア６｝である。
【０２０８】
７１０．Ｎ個のキャリアの中に、所定の第１の方向においてアンカーキャリアに隣接しアンカーキャリアの前に位置するキャリアが存在するか否かを判定する。Ｎ個のキャリアの中に、所定の第１の方向においてアンカーキャリアに隣接しアンカーキャリアの前に位置するキャリアが存在すると判定された場合、ステップ７１１を実行する。又は、Ｎ個のキャリアの中に、所定の第１の方向においてアンカーキャリアに隣接しアンカーキャリアの前に位置するキャリアが存在しないと判定された場合、ステップ７１２を実行する。
【０２０９】
７１１．ステップ７０９〜ステップ７１１を繰り返して、各アンカーキャリアのキャリアセットを決定する。
【０２１０】
７１２．Ｎ個のキャリアのアンカーキャリアのキャリアセットから、少なくとも１つのキャリアセットをキャリア選択結果として選択する。
【０２１１】
ステップ７０７の検索方向に従って、最初に出現し最大数のキャリアを含むキャリアセットがキャリア選択結果として選択されてよい。すなわち、｛キャリア２、キャリア３、キャリア４｝である。
【０２１２】
本発明の本実施形態は、マルチキャリアのキャリア選択方法を提供する。異なるキャリアがアンカーキャリアとして選択され、無線ブロックの各フレームにおける各キャリアのＡＲＦＣＮと、受信端によってサポートされる最大キャリア周波数間隔とに従って、全てのアンカーキャリアに対応するキャリアセットが順に検索され、所定の方針に従って１以上のキャリアセットがキャリア選択結果として選択される。複雑性が比較的低い方法を用いた検索により、最適なキャリアの組合わせの取得が実現され、総当たり方法の複雑性が非常に高いという従来技術の欠点が克服される。
【０２１３】
実施形態５
本実施形態は、複数のＭＡパラメータが適用される場合を紹介する。具体的なステップは、実施形態１〜実施形態４のいずれか１つと同じであってよい。本実施形態では、詳細の説明を省略する。留意すべきこととして、異なるＭＡにおいて割り当てられるキャリアＩＤは統一された方式で付番される。
【０２１４】
例えば、ネットワークは複数のＭＡセットを端末に割り当てる。パラメータグループは、ＭＡ１＝｛１、７、１３、１９、２５、３１、３７、４３｝、ＨＳＮ１＝１０、及びキャリア（ＭＡＩＯで示される）セットＭＡＩＯｓ１＝｛０、１、３、４、６、７｝である。別のパラメータグループは、ＭＡ２＝｛３、９、１５、２１、２７、３３、３９、４５、５１｝、ＨＳＮ２＝１０、キャリア（ＭＡＩＯによって示される）セットＭＡＩＯｓ２＝｛２、３、５、６、７｝であり、且つ、受信端によってサポートされる最大キャリア周波数間隔（周波数チャネル番号間隔で表される）は２５である。ＭＡＩＯｓ１＝｛０、１、３、４、６、７｝に対応するキャリアは、キャリア１、キャリア２、キャリア３、キャリア４、キャリア５及びキャリア６と付番される。ＭＡＩＯｓ２＝｛２、３、５、６、７｝に対応するキャリアは、キャリア７、キャリア８、キャリア９、キャリア１０及びキャリア１１と付番される。
【０２１５】
取得されるＡＲＦＣＮを表９に示す。
【０２１６】
【表９】
2016532376.tif 000011
留意すべきこととして、実施形態１〜実施形態４の好ましい実施方式では、ステップ４０２、ステップ５０２、ステップ６０２又はステップ７０２の前に、無線ブロックに対応する任意のフレームにおける全てのキャリアのＡＲＦＣＮがソートされてよい。複数のＭＡの場合、検索プロセスを簡易化することができる。当然ながら、ここでの実施方式は説明上好ましい方式として用いられるに過ぎず、上記のソートステップは実行されなくてよく、本発明の目的の実現に影響しない。例えば、無線ブロックに対応する第１のフレームにおける全てのキャリアのＡＲＦＣＮがソートされた後、得られる結果を表１０に示す。
【０２１７】
【表１０】
2016532376.tif 000012
ソート後に得られる結果（表１０を参照）について、実施形態４の方法を用いて最終的に得られるキャリア選択結果は、｛キャリア４、キャリア９、キャリア５、キャリア１０、キャリア１１｝である。
【０２１８】
ソートせずに得られる結果（表９を参照）について、実施形態４の方法を用いて最終的に得られるキャリア選択結果は、｛キャリア４、キャリア５、キャリア９、キャリア１０、キャリア１１｝である。
【０２１９】
ソート後に得られる結果（表１０を参照）について、実施形態１の検索方法を用いて最終的に得られるキャリア選択結果は、｛キャリア４、キャリア５、キャリア９、キャリア１０｝である。
【０２２０】
ソートせずに得られる結果（表９を参照）について、実施形態１の検索方法を用いて最終的に得られるキャリア選択結果は、｛キャリア９、キャリア１０、キャリア１１｝である。
【０２２１】
結果は実施形態１の結果と同じであるので、説明は省略する。本実施形態から分かるように、ソート後に実施形態１の検索方式を用いて得られる結果のキャリアは、ソートせずに実施形態１の検索方式を用いて得られる結果のキャリアよりも、１つ多くのキャリアである。しかしながら、ソートが実行されない場合の複雑性は明らかに比較的低い。ソートが実行されずに実施形態１の検索方法が用いられる場合、複数のＭＡの場合のＡＲＦＣＮをソートするステップは実行されず、複数のＭＡの場合にＡＲＦＣＮの範囲が重複する場合を無視することになり、したがって、単一ユーザーシナリオではキャリア選択性能の低下が生じる。実施形態４では、検索を終了する条件が比較的緩い。実施形態４のキャリア選択結果では、ソートが実行される場合かソートが実行されない場合かに関わらず５個のキャリアが選択される。したがって、単一ユーザーシナリオでは実施形態１の性能よりも性能は望ましいが、実施形態４の検索複雑性は実施形態１よりも明らかに高い。
【０２２２】
本発明の本実施形態は、マルチキャリアのキャリア選択方法を提供する。異なるキャリアがアンカーキャリアとして選択され、無線ブロックの各フレームにおける各キャリアのＡＲＦＣＮと、受信端によってサポートされる最大キャリア周波数間隔とに従って、全てのアンカーキャリアに対応するキャリアセットが順に検索され、所定の方針に従って１以上のキャリアセットがキャリア選択結果として選択される。よって、複雑性が比較的低い方法を用いた検索により、最適なキャリアの組合わせの取得が実現され、総当たり方法の複雑性が非常に高いという従来技術の欠点が克服される。優先度に基づく方法を用いて最適な解決策を得ることは理論上不可能であるので、特定のスループット損失が生じる。
【０２２３】
留意すべきこととして、本発明の本実施形態で提供されるマルチキャリアのキャリア選択方法が、キャリアで周波数ホッピングが実行される場合及びキャリアで周波数ホッピングが実行されない場合に提供されるとき、具体的な実施原理及び実施ステップは同じである。例えば、任意のキャリアで周波数ホッピングが実行されない場合、全てのフレームにおいて各キャリアのＡＲＦＣＮは同じである。したがって、任意のフレームに対応するＡＲＦＣＮのみに基づいて、上記の様々なキャリア選択方法が実行されてよく、全ての無線ブロックは同じである。一部のキャリアで周波数ホッピングが実行され、他のキャリアで周波数ホッピングが実行されない場合、周波数ホッピングが実行されない各キャリアに対応する全てのフレームにおけるＡＲＦＣＮの値は同じであり、キャリア検索方法は先の記載と同じである。例えば、ネットワークは２つのグループの周波数パラメータを端末に割り当てる。一方のグループは、周波数ホッピングが実行される場合の周波数パラメータであり、具体的なパラメータは、ＭＡ＝｛１、１０、１９、２８、３７、４６、５５、６４、７３、８２｝、ＨＳＮ＝１０、及びキャリア（ＭＡＩＯｓで表される）セットは｛０、２、３、４｝である。他方のグループは、周波数ホッピングが実行されない周波数パラメータであり、ＡＲＦＣＮ＝２５であり、受信端によってサポートされる最大キャリア周波数間隔（周波数チャネル番号間隔で表される）は２５である。
【０２２４】
ＭＡＩＯｓ＝｛０、２、３、４｝に対応する周波数ホッピングが実行されるキャリアは、キャリア１、キャリア２、キャリア３、キャリア４と付番される。周波数ホッピングが実行されないキャリアはキャリア５と付番される。取得されるＡＲＦＣＮについては、表１１を参照されたい。
【０２２５】
【表１１】
2016532376.tif 000013
本発明の実施形態は、マルチキャリアのキャリア選択装置８０を提供する。本発明の本実施形態で提供されるキャリア選択装置８０は、ダウンリンクマルチキャリアの選択に用いられてよく、或いは、アップリンクマルチキャリアの選択に用いられてよい。キャリア選択装置８０は、基地局側に配置されてよく、或いは基地局であってよい。又は、キャリア選択装置８０は、端末側に配置されてよく、或いは携帯電話等の端末であってよい。
【０２２６】
図８を参照する。図８は、本発明の実施形態に係る、マルチキャリアのキャリア選択装置８０を示す。図に示されるように、装置８０は以下の要素を有してよい。
【０２２７】
取得ユニット８０１は、受信端に割り当てられるＮ個のキャリア各キャリアの、無線ブロックの各フレームにおける絶対無線周波数チャネル番号ＡＲＦＣＮを取得するように構成される。Ｎは正の整数であり、且つＮ≧２である。
【０２２８】
検索ユニット８０２は、Ｎ個のキャリアから異なるキャリアをアンカーキャリアとして選択し、取得ユニット８０１によって取得された、無線ブロックの各フレームにおけるＮ個のキャリアの各キャリアのＡＲＦＣと、受信端がサポート可能な最大キャリア周波数間隔とに従って、アンカーキャリアの検索範囲内で検索を行って、アンカーキャリアのキャリアセットを決定するように構成される。
【０２２９】
選択ユニット８０３は、検索ユニット８０２によって決定されたＮ個のキャリアのアンカーキャリアのキャリアセットから、少なくとも１つのキャリアセットをキャリア選択結果として選択するように構成される。
【０２３０】
更に、取得ユニット８０１は、
割当てメッセージで搬送されるＮ個のキャリアのうち任意のキャリアの周波数パラメータに従って、該Ｎ個のキャリアのうち任意のキャリアの無線ブロックの各フレームにおけるＡＲＦＣＮを計算するように構成されてよく、周波数パラメータはモバイル無線周波数チャネルアロケーションセットＭＡ、ホッピングシーケンス番号ＨＳＮ及びモバイル・アロケーション・インデックス・オフセットＭＡＩＯを含み、又は、
割当てメッセージで搬送される任意のキャリアの指定ＡＲＦＣＮを、該任意のキャリアの各フレームにおけるＡＲＦＣＮとして設定するように構成されてよい。
【０２３１】
上記のＭＡの数は２以上であってよい。すなわち、本発明の本実施形態では、キャリア選択装置８０は、１個のＭＡの場合に適用されてよく、或いは、複数のＭＡの場合に適用されてよい。例えば、割当てメッセージが２つのグループの周波数リソースパラメータを搬送する場合であって、第１のグループの周波数リソースパラメータがＭＡ１＝｛１、７、１３、１９、２５｝、ＨＳＮ１＝１０、ＭＡＩＯ１＝｛０、１、３、４｝であり、第２のグループがＭＡ２＝｛３、９、１５、２１、２７｝、ＨＳＮ２＝１０、ＭＡＩＯ２＝｛２、３、５｝である場合、該２つのグループの周波数リソースパラメータに対応する全てのキャリアが、取得ユニット８０１によって取得されるＮ個のキャリアとして用いられてよい。複数のＭＡの状況での実行プロセスは１個のＭＡの状況と同じであり、本発明の目的の達成には影響しない。したがって、本発明の本実施形態は、ＭＡの数を限定しない。
【０２３２】
更に、図８を参照すると、検索ユニット８０２は、アンカーキャリア選択モジュール８０２１及び検索モジュール８０２２を有してよい。
【０２３３】
具体的には、アンカーキャリア選択モジュール８０２１はアンカーキャリアを決定するように構成される。アンカーキャリアは、具体的には、以下の方式のうちいずれか１つで決定されてよい。
【０２３４】
方式１：Ｎ個のキャリアの各キャリアをアンカーキャリアとして用いる。
【０２３５】
方式１では、各キャリアをアンカーキャリアとして用いて１回の検索を行う。各キャリアをアンカーキャリアとして用いて１回の検索を行うことが保証されるという条件で、キャリアをアンカーキャリアとして用いる順序は変更されてよい。この方式では検索回数が比較的大きく、単一ユーザーシナリオではキャリア選択性能が比較的望ましい。
【０２３６】
方式２：所定の第１の方向に従って、Ｎ個のキャリアの全てのキャリアを順にアンカーキャリアとして用いる。
【０２３７】
方式２では、各キャリアをアンカーキャリアとして用いて１回の検索を行う。方式２は、全てのキャリアを特定の順序でアンカーキャリアとして用いるという点で、方式１と異なる。本発明の本実施形態では、所定の第１の方向について具体的な限定は設定しない。例えば、所定の第１の方向は、
Ｎ個のキャリアのキャリアＩＤの昇順方向、又は、
Ｎ個のキャリアのキャリアＩＤの降順方向、又は、
無線ブロックの任意のフレームにおけるＮ個のキャリアのＡＲＦＣＮの昇順方向、又は、
無線ブロックの任意のフレームにおけるＮ個のキャリアのＡＲＦＣＮの降順方向
を含んでよい。
【０２３８】
上記のキャリアＩＤは、ネットワーク側で構成されるキャリア番号であってよく、或いは、ＭＡＩＯセットのＭＡＩＯのサイズに従ってソートした後に決定されるキャリアＩＤであってよい。例えば、ＭＡＩＯｓ＝｛０、３、２｝であり、ネットワーク側で構成された対応するキャリア番号が｛０、１、２｝であるとき、ＭＡＩＯ値の昇順でソートが実行された後、キャリア番号｛０、２、１｝に対応するキャリアＩＤ｛０、１、２｝が得られる。
【０２３９】
方式３：所定の第１の方向に従って、Ｎ個のキャリアから、所定の第１の方向における第１のキャリアが第１のアンカーキャリアとして選択される。第１のアンカーキャリアの検索範囲内での検索が終了し且つ第１のアンカーキャリアのキャリアセットが決定された後、Ｎ個のキャリアのうち所定の第１の方向において、第１のアンカーキャリアのキャリアセットの中で所定の第１の方向で最前方のキャリアに隣接する次のキャリアが決定される。次のキャリアが所定の第１の方向において第１のアンカーキャリアの前に位置する場合、次のキャリアが第２のアンカーキャリアとして用いられる。
【０２４０】
所定の第１の方向についての説明は、方式２の所定の第１の方向についての説明と一致するので、詳細の説明を省略する。
【０２４１】
上記の方式３では、アンカーキャリアとして選択されるキャリアの数が低減され、計算の複雑性が著しく低減される。
【０２４２】
アンカーキャリアの検索範囲は、Ｎ個のキャリアのうちアンカーキャリアを除く全てのキャリアを含んでよい。
【０２４３】
任意に、アンカーキャリアを選択する上記の方式２及び方式３について、アンカーキャリアの検索範囲は、Ｎ個のキャリアのうち所定の第１の方向においてアンカーキャリアに隣接する次のキャリアから、Ｎ個のキャリアのうち所定の第１の方向の最後のキャリアまでであってよく、これによりアンカーキャリアの検索範囲が狭まり、複雑性が更に低減される。
【０２４４】
検索モジュール８０２２は、無線ブロックの各フレームにおける各キャリアのＡＲＦＣと、受信端によってサポートされる最大キャリア周波数間隔とに従って、アンカーキャリアの検索範囲内で検索を行って、アンカーキャリアのキャリアセットを決定するように構成される。具体的には、以下の方式１又は方式２で実現されてよい。
【０２４５】
方式１：所定の検索方向に従って、アンカーキャリアの検索範囲内の未検索のキャリアから第１のキャリアが選択され、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差が計算される。
【０２４６】
第１のキャリアと第１のセット内の全てのキャリアの無線ブロックの任意のフレームにおけるＡＲＦＣＮのうち最大のＡＲＦＣＮと最小のＡＲＦＣＮとの差が受信端によってサポートされる最大キャリア周波数間隔よりも大きい場合、アンカーキャリアの検索範囲内での検索は終了し、第１のセットがアンカーキャリアのキャリアセットとして用いられる。又は、
第１のキャリアと第１のセット内の全てのキャリアの無線ブロックの各フレームにおけるＡＲＦＣＮのうち最大のＡＲＦＣＮと最小のＡＲＦＣＮとの差が受信端によってサポートされる最大キャリア周波数間隔よりも大きくない場合、第１のキャリアが第１のセットに追加される。
【０２４７】
第１のセットは少なくともアンカーキャリアを含む。第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【０２４８】
所定の検索方向は、
アンカーキャリアの検索範囲内の全てのキャリアのキャリアＩＤの昇順方向、
アンカーキャリアの検索範囲内の全てのキャリアのキャリアＩＤの降順方向、
アンカーキャリアの検索範囲内の全てのキャリアの無線ブロックの任意のフレームにおけるＡＲＦＣＮの昇順方向、
アンカーキャリアの検索範囲内の全てのキャリアの無線ブロックの任意のフレームにおけるＡＲＦＣＮの降順方向、及び、
アンカーキャリアがＮ個のキャリアのうちｉ番目のキャリアであり、且つアンカーキャリアの検索範囲がｉ番目のキャリアを除くＮ個のキャリアの全てのキャリアを含む場合、アンカーキャリアの検索範囲内で、最初にＮ個のキャリアの（ｉ＋１）番目のキャリアからＮ個のキャリアのＮ番目のキャリアに向かい、それからＮ個のキャリアの１番目のキャリアからＮ個のキャリアの（ｉ−１）番目のキャリアに向かう方向であって、ｉは正の整数であり且つ１＜ｉ＜Ｎである、方向、
のうちいずれか１つを含んでよい。
【０２４９】
ｉ番目のキャリアは、具体的には、キャリアＩＤでソートした後のｉ番目のキャリアであってよく、或いは、ＡＲＦＣＮでソートした後のｉ番目のキャリアであってよい。
【０２５０】
方式２：アンカーキャリアの検索範囲内の未検索のキャリアから第１のキャリアが選択され、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差が計算される。
【０２５１】
第１のキャリアと第１のセット内の全てのキャリアの無線ブロックの各フレームにおけるＡＲＦＣＮのうち最大のＡＲＦＣＮと最小のＡＲＦＣＮとの差が受信端によってサポートされる最大キャリア周波数間隔よりも大きくない場合、選択された第１のキャリアが第１のセットに追加され、
アンカーキャリアの検索範囲内に未検索のキャリアが存在するか否かが判定される。アンカーキャリアの検索範囲内に未検索のキャリアが存在すると判定された場合、アンカーキャリアの検索範囲内の未検索のキャリアから第２のキャリアが選択される。又は、アンカーキャリアの検索範囲内に未検索のキャリアが存在しないと判定された場合、アンカーキャリアの検索範囲内での検索を終了し、第１のセットをアンカーキャリアのキャリアセットとして用いる。
【０２５２】
第１のセットは少なくともアンカーキャリアを含む。第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【０２５３】
上記の方式１では、検索モジュール８０２２がアンカーキャリアの検索範囲内で検索を行うとき、検索終了フラグは、任意に、フレームにおける最大のＡＲＦＣＮと最小のＡＲＦＣＮとの差が受信端によってサポートされる最大キャリア周波数間隔よりも大きいことである。したがって、アンカーキャリアの検索範囲内のキャリアが常に検索によって取得できるわけではなく、検索プロセスが単純である。
【０２５４】
上記の方式２では、検索モジュール８０２２がアンカーキャリアの検索範囲内で検索を行うとき、任意にフレームにおける最大のＡＲＦＣＮと最小のＡＲＦＣＮとの差が受信端によってサポートされる最大キャリア周波数間隔よりも大きい場合、アンカーキャリアについて実行される検索は終了しない。代わりに、アンカーキャリアの検索範囲内の未検索のキャリアから次のキャリアが更に選択されて計算が行われる。したがって、特定のアンカーキャリアに対応する検索範囲内のキャリアを検索によって取得することができる。検索プロセスは、方式１の検索プロセスよりも複雑であるが、単一ユーザーシナリオでは、得られるキャリア選択性能は上記の方式１での性能よりも望ましい。
【０２５５】
更に、受信端に単一チャネルが構成される場合、選択ユニット８０３は、Ｎ個のキャリアのアンカーキャリアのキャリアセットから、最大数のキャリアを含む１個のキャリアセットを単一チャネルのキャリア選択結果として選択するように構成されてよい。
【０２５６】
最大数のキャリアを含むキャリアセットが少なくとも２個存在する場合、単一チャネルのキャリア選択結果は、該少なくとも２個のキャリアセットに含まれるキャリアのキャリアＩＤの和に従って決定されてよい。例えば、含まれるキャリアのキャリアＩＤの和が最小であるキャリアセットが選択され、又は、含まれるキャリアのキャリアＩＤの和が最大であるキャリアセットが選択される。加えて、アンカーキャリアが所定の第１の方向に従って選択されているとき、最初に出現し最大数のキャリアを含むキャリアセットが単一チャネルのキャリア選択結果として用いられてもよい。ここでは限定されない。
【０２５７】
受信端に多重チャネルが構成される場合、選択ユニット８０３は、検索ユニット８０２によって決定されたＮ個のキャリアの各アンカーキャリアのキャリアセットに含まれるキャリアの数と、Ｎ個のキャリアの各アンカーキャリアに含まれるキャリアのキャリアＩＤの和とに従って、多重チャネルの各チャネルのキャリア選択結果を決定するように構成されてよい。
【０２５８】
例えば、アンカーキャリアのキャリアセットのうち最大数のキャリアを含むキャリアセットが第１のチャネルに割り当てられ、残りのキャリアセットのうち最大数のキャリアを含むキャリアセットが第２のチャネルに割り当てられる。最大数のキャリアを含むキャリアセットが少なくとも２個存在する場合、含まれるキャリアのキャリアＩＤの和に従って割当てが実行されてよい。又は、アンカーキャリアが所定の第１の方向に従って選択されている場合、キャリアセットが出現する順序で割当てが実行されてよい。例えば、最初に出現し最大数のキャリアを含むキャリアセットが第１のチャネルに割り当てられる。詳細の説明は省略する。
【０２５９】
任意に、受信端の異なるチャネル構成について、検索ユニット８０２はフレキシブルに検索方式を選択してよい。例えば、単一チャネルを構成された受信端では、検索ユニット８０２は、上記の方式１又は方式２における検索方式で、直接１回の検索を行う。多重チャネルを構成され複数の周波数帯域での連続受信をサポートする受信端について（inter-band  receiptionとも呼ばれる）、図３Ａを参照すると、異なるＭＡのキャリア割当てシナリオでは、検索ユニット８０２は、異なる周波数帯域のキャリアセット結果を得るために、上記の方式１又は方式２における検索方式で別々にキャリア選択を実行するだけでよい。例えば、ＭＡ１＝｛１、１０、１９、２８、３７、４６｝であり（周波数帯域１に属する）、ＭＡ２＝｛５１２、５２１、５３０、５３９、５４８｝である（周波数帯域２に属する）場合（周波数チャネル番号１〜１２４は周波数帯域１に属し、周波数チャネル番号５１２〜８８５は周波数帯域２に属する）、異なるＭＡに対応する割り当てられるキャリアについて、異なる周波数帯域についてＡＲＦＣＮの表が別々にリスト化され、異なる周波数帯域でのＡＲＦＣＮの表に従って別々に検索が実行され、各周波数帯域での検索後に得られるキャリアセットが取得され、各周波数帯域のキャリアセットから、１個のキャリアセットが最終的なキャリアセット結果として選択される。
【０２６０】
任意に、受信端に多重チャネルが構成される場合、選択ユニット８０３は、
検索ユニット８０２によって決定されたＮ個のキャリアのアンカーキャリアのキャリアセットから、１個のキャリアセットを多重チャネルの第１のチャネルのキャリア選択結果として選択し、第１のチャネルのキャリア選択結果を検索ユニット８０２に送信するように構成される。
【０２６１】
検索ユニット８０２は更に、
選択ユニット８０３によって選択された第１のチャネルのキャリア選択結果のキャリアをＮ個のキャリアから除くことによって、Ｍ個のキャリアを取得するように構成され、
Ｍ個のキャリアから、異なるキャリアをアンカーキャリアとしてそれぞれ選択し、Ｍ個のキャリアにおけるアンカーキャリアの第１の検索範囲を決定し、無線ブロックの各フレームにおけるＭ個のキャリアのＡＲＦＣＮと、受信端によってサポートされる最大キャリア周波数間隔とに従って、アンカーキャリアの第１の検索範囲内で検索を行い、アンカーキャリアの第１のキャリアセットを決定するように構成される。
【０２６２】
選択ユニット８０３は更に、検索ユニット８０２によって決定されたＭ個のキャリアのアンカーキャリアの第１のキャリアセットから、１個のキャリアセットを多重チャネルのうち第２のチャネルのキャリア選択結果として選択するように構成される。
【０２６３】
具体的には、多重チャネルを構成された受信端では、受信端が多重チャネルを用いて１つの周波数帯域で非連続受信を実行する場合、該周波数帯域で１回の検索が実行される。受信チャネルの数と同じ数のキャリアセットが選択されるか、又は、受信チャネルの数に従って複数回の検索が実行される。
【０２６４】
例えば、図３Ｂを参照して、受信端はデュアルチャネルを構成され、１個の周波数帯域で非連続受信を実行し（図中、ＧＳＭ９００周波数帯域を例に用いる）、これはintra-band  non-contiguous receptionとも呼ばれる。以下の２つの方法がキャリア選択に採用されてよい。
【０２６５】
（１）１回の検索結果から複数のキャリアセットが選択される。
【０２６６】
同じ最大数のキャリアを含むキャリアセットが少なくとも２つ存在する場合、デュアル受信チャネルを構成された受信端では、含まれるキャリアのキャリアＩＤの和が最小であり且つ最大数のキャリアを含む２つのキャリアセットがキャリア選択結果として選択され、又は、
同じ最大数のキャリアを含むキャリアセットが少なくとも２つ存在しない場合、最大数のキャリアを含むキャリアセットと、２番目に最大数のキャリアを含むキャリアセットとが、キャリア選択結果として選択される。
【０２６７】
（２）複数回の検索が実行され、各検索後に得られるアンカーキャリアのキャリアセットから１個のキャリアセットがキャリア選択結果として選択される。
【０２６８】
具体的には、１回目の検索の終了後、キャリア選択結果は、２回目のキャリア検索の初期のキャリアセットから排除される。
【０２６９】
例えば、割り当てられるキャリアＩＤが１〜６であり、１回目の検索の対象となるキャリアが全てのキャリアすなわちキャリア１〜キャリア６である場合、１回目の検索の検索結果は｛キャリア１、キャリア２｝であり、これが第１の受信チャネルのキャリア選択結果として用いられる。２回目の検索では、割り当てられるキャリアセットからキャリア１及びキャリア２を排除し、キャリア３〜キャリア６のみに対して検索を実行する。２回目の検索の検索結果は、第２の受信チャネルのキャリア選択結果として用いられる。
【０２７０】
任意に、図９を参照して、本装置は更にソートユニット８０４を有する。ソートユニット８０４は、検索ユニット８０２がＮ個のキャリアから異なるキャリアをアンカーキャリアとして選択し、無線ブロックの各フレームにおける各キャリアのＡＲＦＣと受信端によってサポートされる最大キャリア周波数間隔とに従って、アンカーキャリアの検索範囲内で検索を行って、アンカーキャリアのキャリアセットを決定する前に、全てのキャリアの無線ブロックに対応する任意のフレームにおけるＡＲＦＣＮをソートするように構成される。
【０２７１】
本発明の本実施形態は、マルチキャリアのキャリア選択装置８０を提供する。異なるキャリアがアンカーキャリアとして選択され、無線ブロックの各フレームにおける各キャリアのＡＲＦＣＮと、受信端によってサポートされる最大キャリア周波数間隔とに従って、全てのアンカーキャリアに対応するキャリアセットが順に検索され、所定の方針に従って１以上のキャリアセットがキャリア選択結果として選択される。複雑性が比較的低い方法を用いた検索により、最適なキャリアの組合わせの取得が実現され、総当たり方法の複雑性が非常に高いという従来技術の欠点が克服される。
【０２７２】
図１０を参照する。図１０は、本発明の実施形態に係る、マルチキャリアのキャリア選択装置８０の具体的な構造概略図である。図１０に示されるように、図１０は、キャリア選択装置８０の具体的な実施形態を示す。本実施形態では、キャリア選択装置８０はプロセッサ１００２及びメモリ１００１を有する。プロセッサ１００２は、キャリア選択装置８０の動作を実施するように構成される。メモリ１００１は、リードオンリーメモリ及びランダムアクセスメモリを含んでよく、命令及びデータをプロセッサ１００２に提供する。メモリ１００２の一部は更に不揮発性ランダムアクセスメモリ（ＮＶＲＡＭ）を含んでよい。具体的な適用では、キャリア選択装置８０は基地局や端末装置等に組み込まれてよく、或いは基地局や端末装置等であってよい。キャリア選択装置８０の全てのコンポーネントは、バスシステム１００３を用いて結合されてよい。加えて、データバスに対して、バスシステム１００３は電力バス、制御バス及び状態信号バスを含む。しかしながら、説明を明瞭にするために、様々なバスは図９においてバスシステム１００３として表記される。
【０２７３】
本発明の上記の実施形態に開示されるマルチキャリアのキャリア選択方法は、プロセッサ１００２において実現されてよく、或いはプロセッサ１００２によって実現されてよい。プロセッサ１００２は集積回路チップであってよく、命令及びデータを実行し信号を処理することができる。実施プロセスでは、上記の方法のステップは、プロセッサ１００２のハードウェアの論理集積回路又はソフトウェア形式の命令を用いて完了されてよい。上記のプロセッサ１００２は、汎用プロセッサ（ＣＰＵ）、デジタルシグナルプロセッサ（ＤＳＰ）、特定用途向け集積回路（ＡＳＩＣ）、フィールド・プログラマブル・ゲート・アレイ（ＦＰＧＡ）、別のプログラマブル論理コンポーネント、個別ゲート若しくはトランジスタ論理コンポーネント、又は個別ハードウェアアセンブリであってよく、本発明の実施形態で開示される全ての方法、ステップ及び論理ブロック図を実現又は実行してよい。汎用プロセッサ１００２はマイクロプロセッサであってよく、或いは、プロセッサ１００２は任意の従来のプロセッサ等であってよい。本発明の実施形態を参照して開示されるマルチキャリアのキャリア選択方法のステップは、ハードウェアプロセッサによって直接実行されてよく、或いは、プロセッサ１００２のハードウェアとソフトウェアモジュールの組合わせを用いて実行されてよい。ソフトウェアモジュールは、従来技術の成熟した記憶媒体に配置されてよく、例えばランダムメモリ、フラッシュメモリ、リードオンリーメモリ、プログラマブルリードオンリーメモリ、電気的消去可能プログラマブルメモリ、レジスタ等に配置されてよい。記憶媒体はメモリ１００１に配置されてよい。プロセッサ１００２は、メモリ１００１から情報を読み取り、プロセッサ１００２のハードウェアと組み合わせて上記の方法のステップを完了する。
【０２７４】
具体的には、プロセッサ１００２は、受信端に割り当てられるＮ個のキャリア各キャリアの、無線ブロックの各フレームにおける絶対無線周波数チャネル番号ＡＲＦＣＮを取得するように構成され、Ｎは正の整数であり且つＮ≧２であり、且つ、
Ｎ個のキャリアから異なるキャリアをアンカーキャリアとしてそれぞれ選択し、無線ブロックの各フレームにおける各キャリアのＡＲＦＣと、受信端がサポート可能な最大キャリア周波数間隔とに従って、アンカーキャリアの検索範囲内で検索を行って、アンカーキャリアのキャリアセットを決定するように構成され、且つ、
Ｎ個のキャリアのアンカーキャリアのキャリアセットから、少なくとも１つのキャリアセットをキャリア選択結果として選択するように構成されてよい。
【０２７５】
更に、プロセッサ１００２は、
割当てメッセージで搬送されるＮ個のキャリアのうち任意のキャリアの周波数パラメータに従って、該Ｎ個のキャリアのうち任意のキャリアの無線ブロックの各フレームにおけるＡＲＦＣＮを計算するように構成されてよく、周波数パラメータはモバイル無線周波数チャネルアロケーションセットＭＡ、ホッピングシーケンス番号ＨＳＮ及びモバイル・アロケーション・インデックス・オフセットＭＡＩＯを含み、又は、
割当てメッセージで搬送される任意のキャリアの指定ＡＲＦＣＮを、該任意のキャリアの各フレームにおけるＡＲＦＣＮとして設定するように構成されてよい。
【０２７６】
上記のＭＡの数は２以上であってよい。すなわち、本発明の本実施形態では、キャリア選択装置８０は、１個のＭＡの場合に適用されてよく、或いは、複数のＭＡの場合に適用されてよい。例えば、割当てメッセージが２つのグループの周波数リソースパラメータを搬送する場合であって、第１のグループの周波数リソースパラメータがＭＡ１＝｛１、７、１３、１９、２５｝、ＨＳＮ１＝１０、ＭＡＩＯ１＝｛０、１、３、４｝であり、第２のグループがＭＡ２＝｛３、９、１５、２１、２７｝、ＨＳＮ２＝１０、ＭＡＩＯ２＝｛２、３、５｝である場合、該２つのグループの周波数リソースパラメータに対応する全てのキャリアが、取得されるＮ個のキャリアとして用いられてよい。複数のＭＡの状況での実行プロセスは１個のＭＡの状況と同じであり、本発明の目的の達成には影響しない。したがって、本発明の本実施形態は、ＭＡの数を限定しない。
【０２７７】
更に、プロセッサ１００２は、以下の３つの方式のうちいずれか１つでアンカーキャリアを選択するように構成されてよい。
【０２７８】
方式１：Ｎ個のキャリアの各キャリアをアンカーキャリアとして用いる。
【０２７９】
方式１では、各キャリアをアンカーキャリアとして用いて１回の検索を行う。各キャリアをアンカーキャリアとして用いて１回の検索を行うことが保証されるという条件で、キャリアをアンカーキャリアとして用いる順序は変更されてよい。この方式では検索回数が比較的大きく、単一ユーザーシナリオではキャリア選択性能が比較的望ましい。
【０２８０】
方式２：所定の第１の方向に従って、Ｎ個のキャリアの全てのキャリアを順にアンカーキャリアとして用いる。
【０２８１】
方式２では、各キャリアをアンカーキャリアとして用いて１回の検索を行う。方式２は、全てのキャリアを特定の順序でアンカーキャリアとして用いるという点で、方式１と異なる。本発明の本実施形態では、所定の第１の方向について具体的な限定は設定しない。例えば、所定の第１の方向は、
Ｎ個のキャリアのキャリアＩＤの昇順方向、又は、
Ｎ個のキャリアのキャリアＩＤの降順方向、又は、
無線ブロックの任意のフレームにおけるＮ個のキャリアのＡＲＦＣＮの昇順方向、又は、
無線ブロックの任意のフレームにおけるＮ個のキャリアのＡＲＦＣＮの降順方向
を含んでよい。
【０２８２】
上記のキャリアＩＤは、ネットワーク側で構成されるキャリア番号であってよく、或いは、ＭＡＩＯセットのＭＡＩＯのサイズに従ってソートした後に決定されるキャリアＩＤであってよい。例えば、ＭＡＩＯｓ＝｛０、３、２｝であり、ネットワーク側で構成された対応するキャリア番号が｛０、１、２｝であるときＭＡＩＯ値の昇順でソートが実行された後、キャリア番号｛０、２、１｝に対応するキャリアＩＤ｛０、１、２｝が得られる。
【０２８３】
方式３：所定の第１の方向に従って、Ｎ個のキャリアから、所定の第１の方向における第１のキャリアが第１のアンカーキャリアとして選択される。第１のアンカーキャリアの検索範囲内での検索が終了し且つ第１のアンカーキャリアのキャリアセットが決定された後、Ｎ個のキャリアのうち所定の第１の方向において、第１のアンカーキャリアのキャリアセットの中で所定の第１の方向で最前方のキャリアに隣接する次のキャリアが決定される。次のキャリアが所定の第１の方向において第１のアンカーキャリアの前に位置する場合、次のキャリアが第２のアンカーキャリアとして用いられる。
【０２８４】
所定の第１の方向についての説明は、方式２の所定の第１の方向についての説明と一致するので、詳細の説明を省略する。
【０２８５】
上記の方式３では、アンカーキャリアとして選択されるキャリアの数が低減され、計算の複雑性が著しく低減される。
【０２８６】
アンカーキャリアの検索範囲は、Ｎ個のキャリアのうちアンカーキャリアを除く全てのキャリアを含んでよい。
【０２８７】
任意に、アンカーキャリアを選択する上記の方式２及び方式３について、アンカーキャリアの検索範囲は、Ｎ個のキャリアのうち所定の第１の方向においてアンカーキャリアに隣接する次のキャリアから、Ｎ個のキャリアのうち所定の第１の方向の最後のキャリアであってよく、これにより、アンカーキャリアの検索範囲が狭まり、複雑性が更に低減される。
【０２８８】
更に、プロセッサ１００２は、具体的には、以下の方式１又は方式２において、無線ブロックの各フレームにおける各キャリアのＡＲＦＣと、受信端によってサポートされる最大キャリア周波数間隔とに従って、アンカーキャリアの検索範囲内で検索を行って、アンカーキャリアのキャリアセットを決定してよい。
【０２８９】
方式１：所定の検索方向に従って、アンカーキャリアの検索範囲内の未検索のキャリアから第１のキャリアが選択され、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差が計算される。
【０２９０】
第１のキャリアと第１のセット内の全てのキャリアの無線ブロックの任意のフレームにおけるＡＲＦＣＮのうち最大のＡＲＦＣＮと最小のＡＲＦＣＮとの差が受信端によってサポートされる最大キャリア周波数間隔よりも大きい場合、アンカーキャリアの検索範囲内での検索を終了し、第１のセットをアンカーキャリアのキャリアセットとして用いる。又は、
第１のキャリアと第１のセット内の全てのキャリアの無線ブロックの各フレームにおけるＡＲＦＣＮのうち最大のＡＲＦＣＮと最小のＡＲＦＣＮとの差が受信端によってサポートされる最大キャリア周波数間隔よりも大きくない場合、第１のキャリアが第１のセットに追加される。
【０２９１】
第１のセットは少なくともアンカーキャリアを含む。第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【０２９２】
所定の検索方向は、
アンカーキャリアの検索範囲内の全てのキャリアのキャリアＩＤの昇順方向、
アンカーキャリアの検索範囲内の全てのキャリアのキャリアＩＤの降順方向、
アンカーキャリアの検索範囲内の全てのキャリアの無線ブロックの任意のフレームにおけるＡＲＦＣＮの昇順方向、
アンカーキャリアの検索範囲内の全てのキャリアの無線ブロックの任意のフレームにおけるＡＲＦＣＮの降順方向、及び、
アンカーキャリアがＮ個のキャリアのうちｉ番目のキャリアであり、且つアンカーキャリアの検索範囲が  ｉ番目のキャリアを除くＮ個のキャリアの全てのキャリアを含む場合、アンカーキャリアの検索範囲内で、最初にＮ個のキャリアの（ｉ＋１）番目のキャリアからＮ個のキャリアのＮ番目のキャリアに向かい、それからＮ個のキャリアの１番目のキャリアからＮ個のキャリアの（ｉ−１）番目のキャリアに向かう方向であって、ｉは正の整数である且つ１＜ｉ＜Ｎである、方向、
のうちいずれか１つを含んでよい。
【０２９３】
ｉ番目のキャリアは、具体的には、キャリアＩＤでソートした後のｉ番目のキャリアであってよく、或いは、ＡＲＦＣＮでソートした後のｉ番目のキャリアであってよい。
【０２９４】
方式２：アンカーキャリアの検索範囲内の未検索のキャリアから第１のキャリアが選択され、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差が計算される。
【０２９５】
第１のキャリアと第１のセット内の全てのキャリアの無線ブロックの各フレームにおけるＡＲＦＣＮのうち最大のＡＲＦＣＮと最小のＡＲＦＣＮとの差が受信端によってサポートされる最大キャリア周波数間隔よりも大きくない場合、選択された第１のキャリアが第１のセットに追加され、
アンカーキャリアの検索範囲内に未検索のキャリアが存在するか否かが判定される。アンカーキャリアの検索範囲内に未検索のキャリアが存在すると判定された場合、アンカーキャリアの検索範囲内の未検索のキャリアから第２のキャリアが選択される。又は、アンカーキャリアの検索範囲内に未検索のキャリアが存在しないと判定された場合、アンカーキャリアの検索範囲内での検索を終了し、第１のセットがアンカーキャリアのキャリアセットとして用いられる。
【０２９６】
第１のセットは少なくともアンカーキャリアを含む。第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【０２９７】
上記の方式１では、プロセッサ１００２がアンカーキャリアの検索範囲内で検索を行うとき、検索終了フラグは、任意に、フレームにおける最大のＡＲＦＣＮと最小のＡＲＦＣＮとの差が受信端によってサポートされる最大キャリア周波数間隔よりも大きいことである。したがって、アンカーキャリアの検索範囲内のキャリアが常に検索によって取得できるわけではなく、検索プロセスが単純である。
【０２９８】
上記の方式２では、プロセッサ１００２がアンカーキャリアの検索範囲内で検索を行うとき、任意にフレームにおける最大のＡＲＦＣＮと最小のＡＲＦＣＮとの差が受信端によってサポートされる最大キャリア周波数間隔よりも大きい場合、アンカーキャリアについて実行される検索は終了しない。代わりに、アンカーキャリアの検索範囲内の未検索のキャリアから次のキャリアが更に選択されて計算が行われる。したがって、特定のアンカーキャリアに対応する検索範囲内のキャリアを検索によって取得することができる。検索プロセスは、方式１の検索プロセスよりも複雑であるが、単一ユーザーシナリオでは、得られるキャリア選択性能は、上記の方式１での性能よりも望ましい。
【０２９９】
更に、受信端に単一チャネルが構成される場合、プロセッサ１００２は、Ｎ個のキャリアのアンカーキャリアのキャリアセットから、最大数のキャリアを含む１個のキャリアセットを単一チャネルのキャリア選択結果として選択するように構成されてよい。
【０３００】
最大数のキャリアを含むキャリアセットが少なくとも２個存在する場合、単一チャネルのキャリア選択結果は、該少なくとも２個のキャリアセットに含まれるキャリアのキャリアＩＤの和に従って決定されてよい。例えば、含まれるキャリアのキャリアＩＤの和が最小であるキャリアセットが選択され、又は、含まれるキャリアのキャリアＩＤの和が最大であるキャリアセットが選択される。加えて、アンカーキャリアが所定の第１の方向に従って選択されているとき、最初に出現し最大数のキャリアを含むキャリアセットが単一チャネルのキャリア選択結果として用いられてもよい。ここでは限定されない。
【０３０１】
受信端に多重チャネルが構成される場合、プロセッサ１００２は、Ｎ個のキャリアの各アンカーキャリアのキャリアセットに含まれるキャリアの数と、Ｎ個のキャリアの各アンカーキャリアに含まれるキャリアのキャリアＩＤの和とに従って、多重チャネルの各チャネルのキャリア選択結果を決定するように構成されてよい。
【０３０２】
例えば、アンカーキャリアのキャリアセットのうち最大数のキャリアを含むキャリアセットが第１のチャネルに割り当てられ、残りのキャリアセットのうち最大数のキャリアを含むキャリアセットが第２のチャネルに割り当てられる。最大数のキャリアを含むキャリアセットが少なくとも２個存在する場合、含まれるキャリアのキャリアＩＤの和に従って割当てが実行されてよい。又は、アンカーキャリアが所定の第１の方向に従って選択されている場合、キャリアセットが出現する順序で割当てが実行されてよい。例えば、最初に出現し最大数のキャリアを含むキャリアセットが第１のチャネルに割り当てられる。詳細の説明は省略する。
【０３０３】
任意に、受信端の異なるチャネル構成について、プロセッサ１００２はフレキシブルに検索方式を選択してよい。例えば、単一チャネルを構成された受信端では、プロセッサ１００２は、上記の方式１又は方式２における検索方式で、直接１回の検索を行う。多重チャネルを構成され複数の周波数帯域での連続受信をサポートする受信端について（inter-band  receiptionとも呼ばれる）、図３Ａを参照すると、異なるＭＡのキャリア割当てシナリオでは、プロセッサ１００２は、異なる周波数帯域のキャリアセット結果を得るために、上記の方式１又は方式２における検索方式で別々にキャリア選択を実行するだけでよい。例えば、ＭＡ１＝｛１、１０、１９、２８、３７、４６｝であり（周波数帯域１に属する）、ＭＡ２＝｛５１２、５２１、５３０、５３９、５４８｝である（周波数帯域２に属する）場合（周波数チャネル番号１〜１２４は周波数帯域１に属し、周波数チャネル番号５１２〜８８５は周波数帯域２に属する）、異なるＭＡに対応する割り当てられるキャリアについて、異なる周波数帯域についてＡＲＦＣＮの表が別々にリスト化され、異なる周波数帯域でのＡＲＦＣＮの表に従って別々に検索が実行され、各周波数帯域での検索後に得られるキャリアセットが取得され、各周波数帯域のキャリアセットから、１個のキャリアセットが最終的なキャリアセット結果として選択される。
【０３０４】
任意に、受信端に多重チャネルが構成される場合、プロセッサ１００２は、
アンカーキャリアのキャリアセットから、１個のキャリアセットを多重チャネルの第１のチャネルのキャリア選択結果として選択し、
第１のチャネルのキャリア選択結果に含まれるキャリアをＮ個のキャリアから除くことによって、Ｍ個のキャリアを取得し、
Ｍ個のキャリアから、異なるキャリアをアンカーキャリアとしてそれぞれ選択し、Ｍ個のキャリアにおけるアンカーキャリアの第１の検索範囲を決定し、無線ブロックの各フレームにおけるＭ個のキャリアのＡＲＦＣＮと、受信端によってサポートされる最大キャリア周波数間隔とに従って、アンカーキャリアの第１の検索範囲内で検索を行い、アンカーキャリアの第１のキャリアセットを決定し、
Ｍ個のキャリアのアンカーキャリアの第１のキャリアセットから、１個のキャリアセットを多重チャネルのうち第２のチャネルのキャリア選択結果として選択するように構成される。
【０３０５】
具体的には、多重チャネルを構成された受信端では、受信端が多重チャネルを用いて１つの周波数帯域で非連続受信を実行する場合、該周波数帯域で１回の検索が実行される。受信チャネルの数と同じ数のキャリアセットが選択されるか、又は、受信チャネルの数に従って複数回の検索が実行される。
【０３０６】
例えば、図３Ｂを参照して、受信端はデュアルチャネルを構成され、１個の周波数帯域で非連続受信を実行し（図中、ＧＳＭ９００周波数帯域を例に用いる）、これはintra-band  non-contiguous receptionとも呼ばれる。以下の２つの方法がキャリア選択に採用されてよい。
【０３０７】
（１）１回の検索結果から複数のキャリアセットが選択される。
【０３０８】
同じ最大数のキャリアを含むキャリアセットが少なくとも２つ存在する場合、デュアル受信チャネルを構成された受信端では、含まれるキャリアのキャリアＩＤの和が最小であり且つ最大数のキャリアを含む２つのキャリアセットがキャリア選択結果として選択され、又は、
同じ最大数のキャリアを含むキャリアセットが少なくとも２つ存在しない場合、最大数のキャリアを含むキャリアセットと、２番目に最大数のキャリアを含むキャリアセットとが、キャリア選択結果として選択される。
【０３０９】
（２）複数回の検索が実行され、各検索後に得られるアンカーキャリアのキャリアセットから１個のキャリアセットがキャリア選択結果として選択される。
【０３１０】
具体的には、１回目の検索の終了後、キャリア選択結果は、２回目のキャリア検索の初期のキャリアセットから排除される。
【０３１１】
例えば、割り当てられるキャリアＩＤが１〜６であり、１回目の検索の対象となるキャリアが全てのキャリアすなわちキャリア１〜キャリア６である場合、１回目の検索の検索結果は｛キャリア１、キャリア２｝であり、これが第１の受信チャネルのキャリア選択結果として用いられる。２回目の検索では、２回目の検索では、割り当てられるキャリアセットからキャリア１及びキャリア２を排除し、キャリア３〜キャリア６のみに対して検索を実行する。２回目の検索の検索結果は、第２の受信チャネルのキャリア選択結果として用いられる。
【０３１２】
更に、プロセッサ１００２は更に、Ｎ個のキャリアから異なるキャリアがアンカーキャリアとして選択され、無線ブロックの各フレームにおける各キャリアのＡＲＦＣと、受信端によってサポートされる最大キャリア周波数間隔とに従って、アンカーキャリアの検索範囲内で検索が行われて、アンカーキャリアのキャリアセットが決定される前に、全てのキャリアの無線ブロックに対応する任意のフレームにおけるＡＲＦＣＮをソートするように構成される。
【０３１３】
本発明の本実施形態は、マルチキャリアのキャリア選択装置８０を提供する。異なるキャリアがアンカーキャリアとして選択され、無線ブロックの各フレームにおける各キャリアのＡＲＦＣＮと、受信端によってサポートされる最大キャリア周波数間隔とに従って、全てのアンカーキャリアに対応するキャリアセットが順に検索され、所定の方針に従って１以上のキャリアセットがキャリア選択結果として選択される。よって、複雑性が比較的低い方法を用いた検索により、最適なキャリアの組合わせの取得が実現され、総当たり方法の複雑性が非常に高いという従来技術の欠点が克服される。
【０３１４】
当業者には明らかに理解されるように、説明を簡便にするために、上記のシステム、装置及びユニットの動作プロセスの詳細については、上記の方法実施形態の対応するプロセスを参照することができ、ここでは詳細の説明を省略する。
【０３１５】
本願で提供されるいくつかの実施形態において、開示のシステム、装置及び方法は他の方式で実施されてよいことを理解されたい。例えば、記載の装置実施形態は例示に過ぎない。例えば、ユニットの分割は論理的な機能分割に過ぎず、実際の実施では他の分割であってよい。例えば、複数のユニット又はコンポーネントは別のシステムに組み合わせ又は統合されてよく、或いは、一部の特徴は省略されてよく、或いは実行されなくてよい。加えて、提示又は議論される相互結合又は直接結合又は通信接続は、いくつかのインターフェースによって実施されてよい。装置若しくはユニット間の間接的な結合又は通信接続は、電子的形式、機械的形式その他の形式で実施されてよい
別々の要素として記載されたユニットは物理的に別々であってもなくてもよい。ユニットとして示された要素は物理的なユニットであってもなくてもよく、１ヶ所に位置しても複数のネットワークユニット上に分布してもよい。ユニットの一部又は全部は、実施形態の解決策の目的を達成するために、実際の要件に従って選択されてよい。
【０３１６】
加えて、本発明の実施形態における機能ユニットは１つの処理ユニットに統合されてよい。或いは、ユニットの各々は物理的に単独で存在してよく、或いは、２以上のユニットが１つのユニットに統合されてよい。統合されたユニットは、ハードウェアの形で実現されてよく、或いは、ソフトウェア機能ユニットに追加のハードウェアの形で実現されてよい。
【０３１７】
上記の統合されたユニットがソフトウェア機能ユニットの形式で実施される場合、該統合されたユニットはコンピューター可読記憶媒体に格納されてよい。上記のソフトウェア機能ユニットは、記憶媒体に格納され、且つ、コンピューター装置（パーソナルコンピューター、サーバー又はネットワーク装置であってよい）が本発明の実施形態に記載の方法のステップの一部を実行することを命令するためのいくつかの命令を含む。上記の記憶媒体はプログラムコードを格納できる任意の媒体を含んでよく、例えば、ＵＳＢフラッシュドライブ、リムーバブルハードディスク、リードオンリーメモリ（Read-Only  Memory、ＲＯＭ）、ランダムアクセスメモリ（Random  Access  Memory、ＲＡＭ）、磁気ディスク、光ディスク等を含んでよい。
【０３１８】
最後に、留意すべきこととして、上記の実施形態は本発明の技術的解決策を説明することを意図するに過ぎず、本発明を限定する意図はない。上記の実施形態を参照して本発明を詳細に説明したが、当業者であれば、本発明の実施形態の技術的解決策の趣旨及び範囲から逸脱することなく、上記の実施形態に記載された技術的解決策に更に変更を行うことができ、或いは、それらの一部の技術的特徴に対して均等な置換を行うことができることが理解できるであろう。
【図１】
2016532376.tif 000014
【図２】
2016532376.tif 000015
【図３Ａ】
2016532376.tif 000016
【図３Ｂ】
2016532376.tif 000017
【図４】
2016532376.tif 000018
【図５】
2016532376.tif 000019
【図６】
2016532376.tif 000020
【図７】
2016532376.tif 000021
【図８】
2016532376.tif 000022
【図９】
2016532376.tif 000023
【図１０】
2016532376.tif 000024
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
マルチキャリアのキャリア選択方法であって、
受信端に割り当てられるＮ個のキャリア各キャリアの、無線ブロックの各フレームにおける絶対無線周波数チャネル番号（ＡＲＦＣＮ）を取得するステップであって、Ｎは正の整数であり且つＮ≧２である、ステップと、
前記Ｎ個のキャリアから、異なるキャリアをアンカーキャリアとしてそれぞれ選択し、前記無線ブロックの各フレームにおける前記Ｎ個のキャリアの各キャリアの前記ＡＲＦＣと、前記受信端がサポート可能な最大キャリア周波数間隔とに従って、前記アンカーキャリアの検索範囲内で検索を行って、前記アンカーキャリアのキャリアセットを決定するステップと、
前記Ｎ個のキャリアのアンカーキャリアの前記キャリアセットから、少なくとも１つのキャリアセットをキャリア選択結果として選択するステップと、
を有する方法。
【請求項２】
前記Ｎ個のキャリアから異なるキャリアをアンカーキャリアとしてそれぞれ選択する前記ステップは、
前記Ｎ個のキャリアの各キャリアを前記アンカーキャリアとしてそれぞれ用いるステップ、
を含む、請求項１に記載の方法。
【請求項３】
前記Ｎ個のキャリアから異なるキャリアをアンカーキャリアとしてそれぞれ選択する前記ステップは、
所定の第１の方向に従って、前記Ｎ個のキャリアの各キャリアを前記アンカーキャリアとして順に用いるステップ、又は、
所定の第１の方向に従って、前記Ｎ個のキャリアから、前記所定の第１の方向における第１のキャリアを第１のアンカーキャリアとして選択し、前記第１のアンカーキャリアの検索範囲内での検索が終了し、且つ前記第１のアンカーキャリアのキャリアセットが決定された後、前記Ｎ個のキャリアのうち前記所定の第１の方向において、前記第１のアンカーキャリアの前記キャリアセットの中で前記所定の第１の方向で最前方のキャリアに隣接する次のキャリアを決定し、前記次のキャリアが前記所定の第１の方向において前記第１のアンカーキャリアの前に位置する場合、前記次のキャリアを第２のアンカーキャリアとして用いるステップ、
を含む、請求項１に記載の方法。
【請求項４】
前記所定の第１の方向は、
前記Ｎ個のキャリアのキャリアＩＤの昇順方向、又は、
前記Ｎ個のキャリアのキャリアＩＤの降順方向、又は、
前記無線ブロックの任意のフレームにおける前記Ｎ個のキャリアのＡＲＦＣＮの昇順方向、又は、
前記無線ブロックの任意のフレームにおける前記Ｎ個のキャリアのＡＲＦＣＮの降順方向
を含む、請求項３に記載の方法。
【請求項５】
前記アンカーキャリアの前記検索範囲は、前記Ｎ個のキャリアのうち前記所定の第１の方向において前記アンカーキャリアに隣接する次のキャリアから、前記Ｎ個のキャリアのうち前記所定の第１の方向の最後のキャリアまでである、
請求項３又は４に記載の方法。
【請求項６】
前記無線ブロックの各フレームにおける前記Ｎ個のキャリアの各キャリアの前記ＡＲＦＣと、前記受信端がサポート可能な最大キャリア周波数間隔とに従って、前記アンカーキャリアの検索範囲内で検索を行って、前記アンカーキャリアのキャリアセットを決定する前記ステップは、
所定の検索方向に従って、前記アンカーキャリアの前記検索範囲内の未検索のキャリアから第１のキャリアを選択し、前記第１のキャリアと前記アンカーキャリアの第１のセット内の全てのキャリアの前記無線ブロックの各フレームにおけるＡＲＦＣＮのうち最大のＡＲＦＣＮと最小のＡＲＦＣＮとの差を計算するステップと、
前記第１のキャリアと前記第１のセット内の前記全てのキャリアの前記無線ブロックの任意のフレームにおけるＡＲＦＣＮのうち前記最大のＡＲＦＣＮと前記最小のＡＲＦＣＮとの前記差が、前記受信端によってサポートされる前記最大キャリア周波数間隔よりも大きい場合、前記アンカーキャリアの前記検索範囲内での前記検索を終了し、前記第１のセットを前記アンカーキャリアの前記キャリアセットとして用いるステップ、又は、
前記第１のキャリアと前記第１のセット内の前記全てのキャリアの前記無線ブロックの各フレームにおけるＡＲＦＣＮのうち前記最大のＡＲＦＣＮと前記最小のＡＲＦＣＮとの前記差が、前記受信端によってサポートされる前記最大キャリア周波数間隔よりも大きくない場合、前記第１のキャリアを前記第１のセットに追加するステップ、
を含み、
前記第１のセットは少なくとも前記アンカーキャリアを含み、前記第１のセット内の前記全てのキャリアの前記無線ブロックの各フレームにおけるＡＲＦＣＮのうち最大のＡＲＦＣＮと最小のＡＲＦＣＮとの差は、前記受信端によってサポートされる前記最大キャリア周波数間隔よりも大きくない、
請求項１乃至５のいずれか一項に記載の方法。
【請求項７】
前記所定の検索方向は、
前記アンカーキャリアの前記検索範囲内の全てのキャリアのキャリアＩＤの昇順方向、又は、
前記アンカーキャリアの前記検索範囲内の全てのキャリアのキャリアＩＤの降順方向、又は、
前記アンカーキャリアの前記検索範囲内の全てのキャリアの前記無線ブロックの任意のフレームにおけるＡＲＦＣＮの昇順方向、又は、
前記アンカーキャリアの前記検索範囲内の全てのキャリアの前記無線ブロックの任意のフレームにおけるＡＲＦＣＮの降順方向、又は、
前記アンカーキャリアが前記Ｎ個のキャリアのうちｉ番目のキャリアであり、且つ、前記アンカーキャリアの前記検索範囲が前記ｉ番目のキャリアを除く前記Ｎ個のキャリアの全てのキャリアを含む場合、前記アンカーキャリアの前記検索範囲内で、最初に前記Ｎ個のキャリアの（ｉ＋１）番目のキャリアから前記Ｎ個のキャリアのＮ番目のキャリアに向かい、それから前記Ｎ個のキャリアの１番目のキャリアから前記Ｎ個のキャリアの（ｉ‐１）番目のキャリアに向かう方向であって、ｉは正の整数であり且つ１＜ｉ＜Ｎである、方向、
を含む、請求項６に記載の方法。
【請求項８】
前記Ｎ個のキャリアのアンカーキャリアの前記キャリアセットから、少なくとも１つのキャリアセットをキャリア選択結果として選択する前記ステップは、
前記受信端に単一チャネルが構成される場合、前記Ｎ個のキャリアの前記アンカーキャリアの前記キャリアセットから、最大数のキャリアを含み該含まれるキャリアのキャリアＩＤの和が最小であるキャリアセットを前記単一チャネルのキャリア選択結果として選択し、若しくは、前記アンカーキャリアの前記キャリアセットから、最大数のキャリアを含み該含まれるキャリアのキャリアＩＤの和が最大であるキャリアセットを前記単一チャネルのキャリア選択結果として選択するステップ、又は、
前記受信端に多重チャネルが構成される場合、前記Ｎ個のキャリアの各アンカーキャリアの前記キャリアセットに含まれるキャリアの数に従って、前記多重チャネルの各チャネルのキャリア選択結果を決定するステップ、
を含む、請求項１乃至７のいずれか一項に記載の方法。
【請求項９】
受信端に割り当てられるＮ個のキャリア各キャリアの、無線ブロックの各フレームにおける絶対無線周波数チャネル番号ＡＲＦＣＮを取得する前記ステップは、
割当てメッセージで搬送されるＮ個のキャリアのうち任意のキャリアの周波数パラメータに従って、該任意のキャリアの前記無線ブロックの各フレームにおけるＡＲＦＣＮを計算するステップであって、前記周波数パラメータはモバイル無線周波数チャネルアロケーションセット（ＭＡ）、ホッピングシーケンス番号（ＨＳＮ）及びモバイル・アロケーション・インデックス・オフセット（ＭＡＩＯ）を含む、ステップ、又は、
割当てメッセージで搬送される任意のキャリアの指定ＡＲＦＣＮを、該任意のキャリアの各フレームにおけるＡＲＦＣＮとして設定するステップ、
を含む、請求項１乃至８のいずれか一項に記載の方法。
【請求項１０】
マルチキャリアのキャリア選択装置であって、
受信端に割り当てられるＮ個のキャリア各キャリアの、無線ブロックの各フレームにおける絶対無線周波数チャネル番号（ＡＲＦＣＮ）を取得するように構成される取得ユニットであって、Ｎは正の整数であり且つＮ≧２である、取得ユニットと、
前記Ｎ個のキャリアから、異なるキャリアをアンカーキャリアとしてそれぞれ選択し、前記取得ユニットによって取得された、前記無線ブロックの各フレームにおける前記Ｎ個のキャリアの各キャリアの前記ＡＲＦＣと、前記受信端がサポート可能な最大キャリア周波数間隔とに従って、前記アンカーキャリアの検索範囲内で検索を行って、前記アンカーキャリアのキャリアセットを決定するように構成される検索ユニットと、
前記検索ユニットによって決定された前記Ｎ個のキャリアのアンカーキャリアの前記キャリアセットから、少なくとも１つのキャリアセットをキャリア選択結果として選択するように構成される選択ユニット、と、
を備える装置。
【請求項１１】
前記検索ユニットは、
前記Ｎ個のキャリアの各キャリアを前記アンカーキャリアとして用いるように構成されるアンカーキャリア選択モジュール、
を有する、請求項１０に記載の装置。
【請求項１２】
前記検索ユニットはアンカーキャリア選択モジュールを有し、前記アンカーキャリア選択モジュールは、所定の第１の方向に従って、前記Ｎ個のキャリアの各キャリアを前記アンカーキャリアとして順に用いるように構成されるか、又は、
前記所定の第１の方向に従って、前記Ｎ個のキャリアから、所定の第１の方向における第１のキャリアを第１のアンカーキャリアとして選択し、前記第１のアンカーキャリアの検索範囲内での検索が終了し且つ前記第１のアンカーキャリアのキャリアセットが決定された後、前記Ｎ個のキャリアのうち前記所定の第１の方向において、前記第１のアンカーキャリアの前記キャリアセットの中で前記所定の第１の方向で最前方のキャリアに隣接する次のキャリアを決定し、前記次のキャリアが前記所定の第１の方向において前記第１のアンカーキャリアの前に位置する場合、前記次のキャリアを第２のアンカーキャリアとして用いるように構成される、
請求項１０に記載の装置。
【請求項１３】
前記所定の第１の方向は、
前記Ｎ個のキャリアのキャリアＩＤの昇順方向、又は、
前記Ｎ個のキャリアのキャリアＩＤの降順方向、又は、
前記無線ブロックの任意のフレームにおける前記Ｎ個のキャリアのＡＲＦＣＮの昇順方向、又は、
前記無線ブロックの任意のフレームにおける前記Ｎ個のキャリアのＡＲＦＣＮの降順方向、
を含む、請求項１２に記載の装置。
【請求項１４】
前記アンカーキャリアの前記検索範囲は、前記Ｎ個のキャリアのうち前記所定の第１の方向において前記アンカーキャリアに隣接する次のキャリアから、前記Ｎ個のキャリアのうち前記所定の第１の方向の最後のキャリアまでである、
請求項１２又は１３に記載の装置。
【請求項１５】
前記検索ユニットは検索モジュールを有し、前記検索モジュールは、
所定の検索方向に従って、前記アンカーキャリアの前記検索範囲内の未検索のキャリアから第１のキャリアを選択し、前記第１のキャリアと前記アンカーキャリアの第１のセット内の全てのキャリアの前記無線ブロックの各フレームにおけるＡＲＦＣＮのうち最大のＡＲＦＣＮと最小のＡＲＦＣＮとの差を計算するように構成され、且つ、
前記第１のキャリアと前記アンカーキャリアの前記第１のセット内の前記全てのキャリアの前記無線ブロックの任意のフレームにおけるＡＲＦＣＮのうち前記最大のＡＲＦＣＮと前記最小のＡＲＦＣＮとの前記差が、前記受信端によってサポートされる前記最大キャリア周波数間隔よりも大きい場合、前記アンカーキャリアの前記検索範囲内での前記検索を終了し、前記アンカーキャリアの前記第１のセットを前記アンカーキャリアの前記キャリアセットとして用いるか、又は、
前記第１のキャリアと前記第１のセット内の前記全てのキャリアの前記無線ブロックの各フレームにおけるＡＲＦＣＮのうち前記最大のＡＲＦＣＮと前記最小のＡＲＦＣＮとの前記差が、前記受信端によってサポートされる前記最大キャリア周波数間隔よりも大きくない場合、前記第１のキャリアを前記アンカーキャリアの前記第１のセットに追加するように構成され、
前記アンカーキャリアの前記第１のセットは少なくとも前記アンカーキャリアを含み、前記第１のセット内の前記全てのキャリアの前記無線ブロックの各フレームにおけるＡＲＦＣＮのうち最大のＡＲＦＣＮと最小のＡＲＦＣＮとの差は、前記受信端によってサポートされる前記最大キャリア周波数間隔よりも大きくない、
請求項１２乃至１４のいずれか一項に記載の装置。
【請求項１６】
前記所定の検索方向は、
前記アンカーキャリアの前記検索範囲内の全てのキャリアのキャリアＩＤの昇順方向、又は、
前記アンカーキャリアの前記検索範囲内の全てのキャリアのキャリアＩＤの降順方向、又は、
前記アンカーキャリアの前記検索範囲内の全てのキャリアの前記無線ブロックの任意のフレームにおけるＡＲＦＣＮの昇順方向、又は、
前記アンカーキャリアの前記検索範囲内の全てのキャリアの前記無線ブロックの任意のフレームにおけるＡＲＦＣＮの降順方向、又は、
前記アンカーキャリアが前記Ｎ個のキャリアのうちｉ番目のキャリアであり、且つ前記アンカーキャリアの前記検索範囲が前記ｉ番目のキャリアを除く前記Ｎ個のキャリアの全てのキャリアを含む場合、前記アンカーキャリアの前記検索範囲内で、最初に前記Ｎ個のキャリアの（ｉ＋１）番目のキャリアから前記Ｎ個のキャリアのＮ番目のキャリアに向かい、それから前記Ｎ個のキャリアの１番目のキャリアから前記Ｎ個のキャリアの（ｉ‐１）番目のキャリアに向かう方向であって、ｉは正の整数であり且つ１＜ｉ＜Ｎである、方向、
を含む、請求項１５に記載の装置。
【請求項１７】
前記選択ユニットは、
前記受信端に単一チャネルが構成される場合、前記検索ユニットによって決定された前記Ｎ個のキャリアの前記アンカーキャリアの前記キャリアセットから、最大数のキャリアを含み該含まれるキャリアのキャリアＩＤの和が最小であるキャリアセットを前記単一チャネルのキャリア選択結果として選択し、若しくは、前記アンカーキャリアの前記キャリアセットから、最大数のキャリアを含み該含まれるキャリアのキャリアＩＤの和が最大であるキャリアセットを前記単一チャネルのキャリア選択結果として選択するように構成され、又は、
前記受信端に多重チャネルが構成される場合、前記検索ユニットによって決定された前記Ｎ個のキャリアの各アンカーキャリアの前記キャリアセットに含まれるキャリアの数に従って、前記多重チャネルの各チャネルのキャリア選択結果を決定するように構成される、
請求項１４乃至１６のいずれか一項に記載の装置。
【請求項１８】
前記取得ユニットは、
割当てメッセージで搬送されるＮ個のキャリアのうち任意のキャリアの周波数パラメータに従って、該任意のキャリアの前記無線ブロックの各フレームにおけるＡＲＦＣＮを計算するように構成され、前記周波数パラメータはモバイル無線周波数チャネルアロケーションセットＭＡ、ホッピングシーケンス番号ＨＳＮ及びモバイル・アロケーション・インデックス・オフセット（ＭＡＩＯ）を含み、又は、
割当てメッセージで搬送される任意のキャリアの指定（ＡＲＦＣＮ）を、該任意のキャリアの各フレームにおける（ＡＲＦＣＮ）として設定するように構成される、
請求項１０乃至１７のいずれか一項に記載の装置。
【手続補正２】
【補正対象書類名】明細書
【補正対象項目名】００１２
【補正方法】変更
【補正の内容】
【００１２】
第６の可能な実施方式では、第１の態様又は第１の可能な実施方式〜第５の可能な実施方式のうちいずれか１つに関して、無線ブロックの各フレームにおける各キャリアのＡＲＦＣと、受信端がサポート可能な最大キャリア周波数間隔とに従って、アンカーキャリアの検索範囲内で検索を行って、アンカーキャリアのキャリアセットを決定するステップは、
所定の検索方向に従って、アンカーキャリアの検索範囲内の未検索のキャリアから第１のキャリアを順に選択し、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算するステップと、
第１のキャリアと第１のセット内の全てのキャリアの無線ブロックの任意のフレームにおけるＡＲＦＣＮのうち最大のＡＲＦＣＮと最小のＡＲＦＣＮとの差が、受信端によってサポートされる最大キャリア周波数間隔よりも大きい場合、アンカーキャリアの検索範囲内での検索を終了し、第１のセットをアンカーキャリアのキャリアセットとして用いるステップ、又は、
第１のキャリアと第１のセット内の全てのキャリアの無線ブロックの各フレームにおける最大のＡＲＦＣＮと最小のＡＲＦＣＮとの差が、受信端によってサポートされる最大キャリア周波数間隔よりも大きくない場合、第１のキャリアを第１のセットに追加するステップ、
を含み、
第１のセットは少なくともアンカーキャリアを含み、、第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【手続補正３】
【補正対象書類名】明細書
【補正対象項目名】００１３
【補正方法】変更
【補正の内容】
【００１３】
第７の可能な実施方式では、第１の態様又は第１の可能な実施方式〜第６の可能な実施方式のうちいずれか１つに関して、所定の検索方向は、
アンカーキャリアの検索範囲内の全てのキャリアのキャリアＩＤの昇順方向、又は、
アンカーキャリアの検索範囲内の全てのキャリアのキャリアＩＤの降順方向、又は、
アンカーキャリアの検索範囲内の全てのキャリアの無線ブロックの任意のフレームにおけるＡＲＦＣＮの昇順方向、又は、
アンカーキャリアの検索範囲内の全てのキャリアの無線ブロックの任意のフレームにおけるＡＲＦＣＮの降順方向、又は、
アンカーキャリアがＮ個のキャリアのうちｉ番目のキャリアであり、且つアンカーキャリアの検索範囲がｉ番目のキャリアを除くＮ個のキャリアの全てのキャリアを含む場合、アンカーキャリアの検索範囲内で、最初にＮ個のキャリアの（ｉ＋１）番目のキャリアからＮ個のキャリアのＮ番目のキャリアに向かい、それからＮ個のキャリアの１番目のキャリアからＮ個のキャリアの（ｉ-１）番目のキャリアに向かう方向であって、ｉは正の整数であり且つ１＜ｉ＜Ｎである、方向、
を含む。
【手続補正４】
【補正対象書類名】明細書
【補正対象項目名】００２５
【補正方法】変更
【補正の内容】
【００２５】
第６の可能な実施方式では、第２の態様又は第１の可能な実施方式〜第５の可能な実施方式のうちいずれか１つに関して、検索ユニットは検索モジュールを有する。検索モジュールは、所定の検索方向に従って、アンカーキャリアの検索範囲内の未検索のキャリアから第１のキャリアを選択し、第１のキャリアとアンカーキャリアの第１のセット内の全てのキャリアの無線ブロックの各フレームにおけるＡＲＦＣＮのうち最大のＡＲＦＣＮと最小のＡＲＦＣＮとの差を計算するように構成され、且つ、
第１のキャリアと第１のセット内の全てのキャリアの無線ブロックの任意のフレームにおけるＡＲＦＣＮのうち最大のＡＲＦＣＮと最小のＡＲＦＣＮとの差が受信端によってサポートされる最大キャリア周波数間隔よりも大きい場合、アンカーキャリアの検索範囲内での検索を終了し、第１のセットをアンカーキャリアのキャリアセットとして用いるか、又は、
第１のキャリアと第１のセット内の全てのキャリアの無線ブロックの各フレームにおけるＡＲＦＣＮのうち最大のＡＲＦＣＮと最小のＡＲＦＣＮとの差が受信端によってサポートされる最大キャリア周波数間隔よりも大きくない場合、第１のキャリアを第１のセットに追加するように構成され、
第１のセットは少なくともアンカーキャリアを含み、第１のセット内の全てのキャリアの無線ブロックの各フレームにおけるＡＲＦＣＮのうち最大のＡＲＦＣＮと最小のＡＲＦＣＮとの差は、受信端によってサポートされる最大キャリア周波数間隔よりも大きくない。
【手続補正５】
【補正対象書類名】明細書
【補正対象項目名】００２６
【補正方法】変更
【補正の内容】
【００２６】
第７の可能な実施方式では、第６の可能な実施方式に関して、所定の検索方向は、アンカーキャリアの検索範囲内の全てのキャリアのキャリアＩＤの昇順方向、又は、
アンカーキャリアの検索範囲内の全てのキャリアのキャリアＩＤの降順方向、又は、
アンカーキャリアの検索範囲内の全てのキャリアの無線ブロックの任意のフレームにおけるＡＲＦＣＮの昇順方向、又は、
アンカーキャリアの検索範囲内の全てのキャリアの無線ブロックの任意のフレームにおけるＡＲＦＣＮの降順方向、又は、
アンカーキャリアがＮ個のキャリアのうちｉ番目のキャリアであり、且つアンカーキャリアの検索範囲がｉ番目のキャリアを除くＮ個のキャリアの全てのキャリアを含む場合、アンカーキャリアの検索範囲内で、最初にＮ個のキャリアの（ｉ＋１）番目のキャリアからＮ個のキャリアのＮ番目のキャリアに向かい、それからＮ個のキャリアの１番目のキャリアからＮ個のキャリアの（ｉ−１）番目のキャリアに向かう方向であって、ｉは正の整数であり且つ１＜ｉ＜Ｎである、方向、
を含む。
【手続補正６】
【補正対象書類名】明細書
【補正対象項目名】００３５
【補正方法】変更
【補正の内容】
【００３５】
本発明の実施形態で提供されるマルチキャリアの選択方法は、ＧＥＲＡＮシステムに適用可能である。ＧＥＲＡＮシステム基地局は、多重キャリアを用いて１つの端末と通信することができる。留意すべきこととして、ここでのマルチキャリアは連続周波数の複数のキャリアではなく、分離された絶対無線周波数チャネル番号（Absolute  Radio  Frequency  Channel  Number、略称ＡＲＦＣＮ）（周波数ホッピングが実行されない場合）又はモバイル・アロケーション・インデックス・オフセット（Mobile  Allocation  Index  Offset、略称ＭＡＩＯ）、モバイル無線周波数チャネルアロケーションセット（Mobile  Allocation、略称ＭＡ）及びホッピングシーケンス番号（Hopping  Sequence  Number、略称ＨＳＮ）（周波数ホッピングが実行される場合）に割り当てられる、分離された周波数リソースであってよい。
【手続補正７】
【補正対象書類名】明細書
【補正対象項目名】００３６
【補正方法】変更
【補正の内容】
【００３６】
図１を参照する。図１は、ＧＥＲＡＮのＰＳドメインにおけるＰＤＣＨチャネルのマルチフレームの構造概略図である。図に示されるように、ＧＥＲＡＮのＰＳドメインにおける４個の連続フレーム（又はタイムスロット、又はバースト）は、１個の無線ブロック（図中Ｂで示される）を構成し、データの符号化及び復号化は無線ブロック単位で実行される。ＤＬＭＣについて、端末がサポートする最大キャリア周波数間隔の制限により、各無線ブロック周期において、一部のキャリア上のデータを受信できないという状況が生じ得る。例えば、端末によってサポートされる最大キャリア周波数間隔が２５である（ＡＲＦＣＮの数を単位とする：各ＡＲＦＣＮは２００ｋＨｚであり、この場合、端末によってサポートされる最大キャリア周波数間隔帯域幅は２００＊２５＝５ＭＨｚである）場合、フレームにおいて、３個のキャリアはＡＲＦＣＮがそれぞれ３５、４５、７０である周波数チャネル番号に対応しており、最大キャリア周波数間隔は３５であり、端末によってサポートされる最大キャリア周波数間隔を超える。この場合、データが該３個のキャリアで伝送される場合、端末は一部のキャリアのデータを受信することができる。
【手続補正８】
【補正対象書類名】明細書
【補正対象項目名】０２０３
【補正方法】変更
【補正の内容】
【０２０３】
更に、第１のキャリアが存在するか否かが判定される。アンカーキャリア（キャリア１）に対応する検索範囲内では、キャリア３及びキャリア２のみが検索されたので、キャリア４、キャリア５及びキャリア６が未検索である。したがって、アンカーキャリア（キャリア１）の検索範囲内に第１のキャリアが存在すると判定される。更にステップ７０３〜ステップ７０８が繰り返される。すなわち、キャリア４、キャリア５及びキャリア６のうちいずれか１つが第１のキャリアとして選択され、アンカーキャリア（キャリア１）の検索範囲内で各キャリアに１回の検索が実行されるまで、ステップ７０３〜ステップ７０８が繰り返される。例えば、アンカーキャリア１に対応して取得されるキャリアセットは、｛キャリア１、キャリア２｝である。
【手続補正９】
【補正対象書類名】明細書
【補正対象項目名】０２７２
【補正方法】変更
【補正の内容】
【０２７２】
図１０を参照する。図１０は、本発明の実施形態に係る、マルチキャリアのキャリア選択装置８０の具体的な構造概略図である。図１０に示されるように、図１０は、キャリア選択装置８０の具体的な実施形態を示す。本実施形態では、キャリア選択装置８０はプロセッサ１００２及びメモリ１００１を有する。プロセッサ１００２は、キャリア選択装置８０の動作を実施するように構成される。メモリ１００１は、リードオンリーメモリ及びランダムアクセスメモリを含んでよく、命令及びデータをプロセッサ１００２に提供する。メモリ１００１の一部は更に不揮発性ランダムアクセスメモリ（ＮＶＲＡＭ）を含んでよい。具体的な適用では、キャリア選択装置８０は基地局や端末装置等に組み込まれてよく、或いは基地局や端末装置等であってよい。キャリア選択装置８０の全てのコンポーネントは、バスシステム１００３を用いて結合されてよい。加えて、データバスに対して、バスシステム１００３は電力バス、制御バス及び状態信号バスを含む。しかしながら、説明を明瞭にするために、様々なバスは図１０においてバスシステム１００３として表記される。
【手続補正１０】
【補正対象書類名】明細書
【補正対象項目名】０２７３
【補正方法】変更
【補正の内容】
【０２７３】
本発明の上記の実施形態に開示されるマルチキャリアのキャリア選択方法は、プロセッサ１００２において実現されてよく、或いはプロセッサ１００２によって実現されてよい。プロセッサ１００２は集積回路チップであってよく、命令及びデータを実行し信号を処理することができる。実施プロセスでは、上記の方法のステップは、プロセッサ１００２のハードウェアの論理集積回路又はソフトウェア形式の命令を用いて完了されてよい。上記のプロセッサ１００２は、汎用プロセッサ（ＣＰＵ）、デジタルシグナルプロセッサ（ＤＳＰ）、特定用途向け集積回路（ＡＳＩＣ）、フィールド・プログラマブル・ゲート・アレイ（ＦＰＧＡ）、別のプログラマブル論理コンポーネント、個別ゲート若しくはトランジスタ論理コンポーネント、又は個別ハードウェアアセンブリであってよく、本発明の実施形態で開示される全ての方法、ステップ及び論理ブロック図を実現又は実行してよい。プロセッサ１００２はマイクロプロセッサであってよく、或いは、プロセッサ１００２は任意の従来のプロセッサ等であってよい。本発明の実施形態を参照して開示されるマルチキャリアのキャリア選択方法のステップは、ハードウェアプロセッサによって直接実行されてよく、或いは、プロセッサ１００２のハードウェアとソフトウェアモジュールの組合わせを用いて実行されてよい。ソフトウェアモジュールは、従来技術の成熟した記憶媒体に配置されてよく、例えばランダムメモリ、フラッシュメモリ、リードオンリーメモリ、プログラマブルリードオンリーメモリ、電気的消去可能プログラマブルメモリ、レジスタ等に配置されてよい。記憶媒体はメモリ１００１に配置されてよい。プロセッサ１００２は、メモリ１００１から情報を読み取り、プロセッサ１００２のハードウェアと組み合わせて上記の方法のステップを完了する。
【国際調査報告】
2016532376.tif 000025
2016532376.tif 000026
2016532376.tif 000027
2016532376.tif 000028